(57)【要約】【課題】処理対象となるデータ及び処理の要求を効率的に管理すること。【解決手段】実施形態の医用データ収集装置は、スキャン部と、関連付け部と、通信部とを備える。スキャン部は、被検体に対してスキャンを実行することによりデータを収集する。関連付け部は、種類が異なる複数の画像を再構成するための複数の再構成要求を、前記データ又は前記データに前処理を施すことにより生成された前処理済みデータに関連付ける。通信部は、前記複数の再構成要求が関連付けられた前記データ又は前記前処理済みデータを、ネットワークを介して接続され、前記複数の再構成要求及び前記前処理済みデータに基づいて前記複数の画像を再構成する再構成部を備えたサーバに送信する。【選択図】図１
2020141721.tif 000002
【特許請求の範囲】
【請求項１】
被検体に対してスキャンを実行することによりデータを収集するスキャン部と、
種類が異なる複数の画像を再構成するための複数の再構成要求を、前記データ又は前記データに前処理を施すことにより生成された前処理済みデータに関連付ける関連付け部と、
前記複数の再構成要求が関連付けられた前記データ又は前記前処理済みデータを、ネットワークを介して接続され、前記複数の再構成要求及び前記前処理済みデータに基づいて前記複数の画像を再構成する再構成部を備えたサーバに送信する通信部と
を備える、医用データ収集装置。
【請求項２】
前記関連付け部は、前記複数の再構成要求に対応する複数の再構成パラメータセット、又は前記複数の再構成パラメータセットを特定するための情報を、前記データ又は前記前処理済みデータに付帯させる、請求項１に記載の医用データ収集装置。
【請求項３】
前記複数の再構成要求のそれぞれに対して優先度を設定する設定部を更に備え、
前記通信部は、設定された前記優先度を前記複数の再構成要求のそれぞれに付帯させて前記サーバに送信する、請求項１又は２に記載の医用データ収集装置。
【請求項４】
前記設定部は、前記複数の再構成要求を処理する順序に応じた処理時間に基づいて、前記優先度を設定する、請求項３に記載の医用データ収集装置。
【請求項５】
入力インターフェースを介してユーザから前記優先度の変更要求を受け付ける受付部を更に備え、
前記受付部が前記変更要求を受け付けた場合、前記通信部は、当該変更要求を、前記複数の再構成要求及び前記データ又は前記前処理済みデータに関連付けて前記サーバに送信する、請求項３又は４に記載の医用データ収集装置。
【請求項６】
入力インターフェースを介してユーザから前記複数の再構成要求と異なる追加の再構成要求を受け付ける受付部を更に備え、
前記追加の再構成要求を前記受付部が受け付けた場合、前記通信部は、当該追加の再構成要求を、前記複数の再構成要求及び前記データ又は前記前処理済みデータに関連付けて前記サーバに送信する、請求項１〜５のいずれか一項に記載の医用データ収集装置。
【請求項７】
被検体に対してスキャンを実行することによりデータを収集するスキャン部と、
再構成された画像を処理して後処理済み画像を生成するための後処理要求を、前記データ、前記データに前処理を施すことにより生成された前処理済みデータ、又は前記画像に関連付ける関連付け部と、
前記後処理要求が関連付けられた前記データ、前記前処理済みデータ、又は前記画像を、ネットワークを介して接続され、前記後処理要求及び前記画像に基づいて前記後処理済み画像を生成する後処理部を備えたサーバに送信する通信部と
を備える、医用データ収集装置。
【請求項８】
前記関連付け部は、前記後処理要求に対応する後処理パラメータセット、又は前記後処理パラメータセットを特定するための情報を、前記データ、前記前処理済みデータ又は前記画像に付帯させる、請求項７に記載の医用データ収集装置。
【請求項９】
前記関連付け部は、複数の前記後処理要求を、前記データ、前記前処理済みデータ、又は前記画像に関連付け、
前記通信部は、前記複数の後処理要求が関連付けられた前記データ、前記前処理済みデータ、又は前記画像を前記サーバに送信する、請求項７又は８に記載の医用データ収集装置。
【請求項１０】
前記複数の後処理要求のそれぞれに対して優先度を設定する設定部を更に備え、
前記通信部は、設定された前記優先度を前記複数の後処理要求のそれぞれに付帯させて前記サーバに送信する、請求項９に記載の医用データ収集装置。
【請求項１１】
前記関連付け部は、前記画像を再構成するための再構成要求を、少なくとも１つ、前記データ又は前記前処理済みデータに関連付け、
前記通信部は、前記再構成要求及び前記後処理要求が関連付けられた前記データ又は前記前処理済みデータを、前記再構成要求及び前記前処理済みデータに基づいて前記画像を再構成する再構成部を備えた前記サーバに送信する、請求項７〜９のいずれか一項に記載の医用データ収集装置。
【請求項１２】
前記再構成要求及び前記後処理要求のそれぞれに対して優先度を設定する設定部を更に備え、
前記通信部は、設定された前記優先度を前記再構成要求及び前記後処理要求のそれぞれに付帯させて前記サーバに送信する、請求項１１に記載の医用データ収集装置。
【請求項１３】
前記関連付け部は、前記後処理要求を前記データ又は前記前処理済みデータに関連付け、
前記通信部は、前記後処理要求が関連付けられた前記データ又は前記前処理済みデータを、前記後処理要求に基づいて推定した再構成要求及び前記前処理済みデータに基づいて前記画像を再構成する再構成部を備える前記サーバに送信する、請求項７〜９のいずれか一項に記載の医用データ収集装置。
【請求項１４】
被検体に対してスキャンを実行することによりデータを収集するスキャン部と、
前記データを処理して前処理済みデータを生成するための前処理要求を、前記データに関連付ける関連付け部と、
前記前処理要求が関連付けられた前記データを、ネットワークを介して接続され、前記前処理要求及び前記データに基づいて前記前処理済みデータを生成する前処理部と、前記前処理済みデータに基づいて画像を再構成する再構成部とを備えたサーバに送信する通信部と
を備える、医用データ収集装置。
【請求項１５】
前記関連付け部は、前記前処理要求に対応する前処理パラメータセット、又は前記前処理パラメータセットを特定するための情報を前記データに付帯させる、請求項１４に記載の医用データ収集装置。
【請求項１６】
前記関連付け部は、前記画像を再構成するための再構成要求を、少なくとも１つ、前記データに関連付け、
前記通信部は、前記前処理要求及び前記再構成要求が関連付けられた前記データを前記サーバに送信する、請求項１４又は１５に記載の医用データ収集装置。
【請求項１７】
前記前処理要求及び前記再構成要求のそれぞれに対して優先度を設定する設定部を更に備え、
前記通信部は、設定された前記優先度を前記前処理要求及び前記再構成要求のそれぞれに付帯させて前記サーバに送信する、請求項１６に記載の医用データ収集装置。
【請求項１８】
前記関連付け部は、前記画像を処理して後処理済み画像を生成するための後処理要求を、少なくとも１つ、前記データに関連付け、
前記通信部は、前記前処理要求、前記再構成要求及び前記後処理要求が関連付けられた前記データを、前記後処理要求及び前記画像に基づいて前記後処理済み画像を生成する後処理部を備えた前記サーバに送信する、請求項１６に記載の医用データ収集装置。
【請求項１９】
前記前処理要求、前記再構成要求及び前記後処理要求のそれぞれに対して優先度を設定する設定部を更に備え、
前記通信部は、設定された前記優先度を前記前処理要求、前記再構成要求及び前記後処理要求のそれぞれに付帯させて前記サーバに送信する、請求項１８に記載の医用データ収集装置。
【請求項２０】
前記スキャン部は、複数のビューについてＸ線スキャンを実行することにより、第１のＸ線エネルギーに対応する第１データ、及び第２のＸ線エネルギーに対応する第２データを収集し、
前記関連付け部は、複数の画像を再構成するための再構成要求を、前記第１データ及び前記第２データ、又は前記第１データ及び前記第２データに前処理を施すことにより生成された前処理済み第１データ及び前処理済み第２データに関連付ける、請求項１〜６、１１、１２、１６〜１９のいずれか一項に記載の医用データ収集装置。
【請求項２１】
前記関連付け部は、前記複数の画像を処理して仮想単色Ｘ線画像又は物質弁別画像を生成するための後処理要求を、前記第１データ及び前記第２データ、又は前記前処理済み第１データ及び前記前処理済み第２データに関連付ける、請求項２０に記載の医用データ収集装置。
【請求項２２】
被検体に対してスキャンを実行することによりデータを収集するスキャン部と、
種類が異なる複数の画像を再構成するための複数の再構成要求を、前記データ又は前記データに前処理を施すことにより生成された前処理済みデータに関連付ける関連付け部と、
前記複数の再構成要求及び前記前処理済みデータに基づいて前記複数の画像を再構成する再構成部を備えたサーバと、
前記複数の再構成要求が関連付けられた前記データ又は前記前処理済みデータを前記サーバに送信する通信部と
を備える、医用診断システム。
【請求項２３】
被検体に対してスキャンを実行することによりデータを収集するスキャン部と、
再構成された画像を処理して後処理済み画像を生成するための後処理要求を、前記データ、前記データに前処理を施すことにより生成された前処理済みデータ、又は前記画像に関連付ける関連付け部と、
前記後処理要求及び前記画像に基づいて前記後処理済み画像を生成する後処理部を備えたサーバと、
前記後処理要求が関連付けられた前記データ、前記前処理済みデータ、又は前記画像を前記サーバに送信する通信部と
を備える、医用診断システム。
【請求項２４】
被検体に対してスキャンを実行することによりデータを収集するスキャン部と、
前記データを処理して前処理済みデータを生成するための前処理要求を、前記データに関連付ける関連付け部と、
前記前処理要求及び前記データに基づいて前記前処理済みデータを生成する前処理部と、前記前処理済みデータに基づいて画像を再構成する再構成部とを備えたサーバと、
前記前処理要求が関連付けられた前記データを前記サーバに送信する通信部と
を備える、医用診断システム。
【発明の詳細な説明】
【技術分野】
【０００１】
本発明の実施形態は、医用データ収集装置及び医用診断システムに関する。
【背景技術】
【０００２】
画像診断においては、まずは被検体に対するスキャンが実行され、収集されたデータから診断用の画像データが生成される。スキャンを実行することによって被検体からデータを収集する医用データ収集装置の例としては、Ｘ線ＣＴ（Computed  Tomography）装置、ＭＲＩ（Magnetic  Resonance  Imaging）装置、ＰＥＴ（Positron  Emission  Tomography）装置、ＳＰＥＣＴ（Single  Photon  Emission  Computed  Tomography）装置、超音波診断装置等が挙げられる。
【０００３】
医用データ収集装置がデータを収集してから画像診断に至るまでには、複数のステップが存在する。例えば、医用データ収集装置が収集したデータに対しては、まず、前処理が施される。次に、前処理後のデータに基づいて、画像データが再構成される。次に、再構成された画像データに対して、後処理が施される。そして、後処理後の画像データを使用して、画像診断が行われる。
【０００４】
前処理や再構成処理、後処理といった各処理は、予め設定され、又はユーザにより設定された要求に従って実行される。例えば、前処理は、前処理の対象となるデータと、前処理の要求とに基づいて実行される。同様に、再構成処理は、再構成処理の対象となるデータと、再構成処理の要求とに基づいて実行される。同様に、後処理は、後処理の対象となるデータと、後処理の要求とに基づいて実行される。
【先行技術文献】
【特許文献】
【０００５】
【特許文献１】特開２００６−１１００７１号公報
【特許文献２】特開平１０−１２７６２２号公報
【特許文献３】特開２００３−１０２７２１号公報
【特許文献４】特開２００２−１５７５８０号公報
【発明の概要】
【発明が解決しようとする課題】
【０００６】
本発明が解決しようとする課題は、処理対象となるデータ及び処理の要求を効率的に管理することである。
【課題を解決するための手段】
【０００７】
実施形態の医用データ収集装置は、スキャン部と、関連付け部と、通信部とを備える。スキャン部は、被検体に対してスキャンを実行することによりデータを収集する。関連付け部は、種類が異なる複数の画像を再構成するための複数の再構成要求を、前記データ又は前記データに前処理を施すことにより生成された前処理済みデータに関連付ける。通信部は、前記複数の再構成要求が関連付けられた前記データ又は前記前処理済みデータを、ネットワークを介して接続され、前記複数の再構成要求及び前記前処理済みデータに基づいて前記複数の画像を再構成する再構成部を備えたサーバに送信する。
【図面の簡単な説明】
【０００８】
【図１】図１は、第１の実施形態に係る医用情報処理システムの構成の一例を示すブロック図である。
【図２Ａ】図２Ａは、第１の実施形態に係るＸ線ＣＴ装置の構成の一例を示すブロック図である。
【図２Ｂ】図２Ｂは、第１の実施形態に係るホストコンピュータの構成の一例を示すブロック図である。
【図３】図３は、第１の実施形態に係るサーバの構成の一例を示すブロック図である。
【図４】図４は、第１の実施形態に係るデータ及び管理の一例を示す図である。
【図５】図５は、第１の実施形態に係る再構成処理の一例を示す図である。
【図６Ａ】図６Ａは、第１の実施形態に係る関連付けの一例を示す図である。
【図６Ｂ】図６Ｂは、第１の実施形態に係る再構成処理の一例を示す図である。
【図７】図７は、第１の実施形態に係るＸ線ＣＴ装置の処理の一連の流れを説明するためのフローチャートである。
【図８Ａ】図８Ａは、第２の実施形態に係るホストコンピュータの構成の一例を示すブロック図である。
【図８Ｂ】図８Ｂは、第２の実施形態に係る関連付けの一例を示す図である。
【図９】図９は、第３の実施形態に係るサーバの構成の一例を示すブロック図である。
【図１０】図１０は、第３の実施形態に係る後処理の一例を示す図である。
【図１１Ａ】図１１Ａは、第１の実施形態に係る関連付けの一例を示す図である。
【図１１Ｂ】図１１Ｂは、第３の実施形態に係る後処理の一例を示す図である。
【図１２】図１２は、第３の実施形態に係る関連付けの一例を示す図である。
【図１３Ａ】図１３Ａは、第３の実施形態に係る関連付けの一例を示す図である。
【図１３Ｂ】図１３Ｂは、第３の実施形態に係る再構成処理及び後処理の一例を示す図である。
【図１４Ａ】図１４Ａは、第３の実施形態に係る再構成処理及び後処理の一例を示す図である。
【図１４Ｂ】図１４Ｂは、第３の実施形態に係る関連付けの一例を示す図である。
【図１４Ｃ】図１４Ｃは、第３の実施形態に係る関連付けの一例を示す図である。
【図１５】図１５は、第４の実施形態に係るサーバの構成の一例を示すブロック図である。
【図１６Ａ】図１６Ａは、第１の実施形態に係る関連付けの一例を示す図である。
【図１６Ｂ】図１６Ｂは、第４の実施形態に係る前処理、再構成処理及び後処理の一例を示す図である。
【図１７】図１７は、第５の実施形態に係る関連付けの一例を示す図である。
【発明を実施するための形態】
【０００９】
以下、図面を参照して、医用データ収集装置及び医用診断システムの実施形態について詳細に説明する。
【００１０】
（第１の実施形態）
まず、第１の実施形態について説明する。第１の実施形態では、図１に示す医用診断システム１を例として説明する。医用診断システム１は、医用データ収集装置の一例であるＸ線ＣＴ装置１０と、Ｘ線ＣＴ装置１０とネットワークＮＷを介して接続されたサーバ２０とを含む。なお、図１は、第１の実施形態に係る医用診断システム１の構成の一例を示すブロック図である。
【００１１】
Ｘ線ＣＴ装置１０は、被検体に対してスキャンを実行することによりデータを収集する装置である。また、Ｘ線ＣＴ装置１０は、スキャンを実行することにより収集したデータ、又は、スキャンを実行することにより収集したデータに基づくデータを、ネットワークＮＷを介してサーバ２０に送信する。Ｘ線ＣＴ装置１０の構成については後述する。
【００１２】
サーバ２０は、医用データ収集装置から送信されたデータを受け付けて、各種の処理を実行する装置である。例えば、サーバ２０は、スキャンを実行することにより収集されたデータをＸ線ＣＴ装置１０から受け付けて、前処理、再構成処理及び後処理を実行する。また、例えば、サーバ２０は、前処理が施された後の前処理済みデータをＸ線ＣＴ装置１０から受け付けて、再構成処理及び後処理を実行する。また、例えば、サーバ２０は、再構成処理が施された後の画像データをＸ線ＣＴ装置１０から受け付けて、後処理を実行する。サーバ２０の構成については後述する。
【００１３】
なお、ネットワークＮＷを介して接続可能であれば、Ｘ線ＣＴ装置１０及びサーバ２０が設置される場所は任意である。例えば、サーバ２０は、Ｘ線ＣＴ装置１０と異なる病院に設置されてもよい。即ち、ネットワークＮＷは、院内で閉じたローカルネットワークにより構成されてもよいし、インターネットを介したネットワークでもよい。また、図１においては、Ｘ線ＣＴ装置１０を１つのみ示すが、医用診断システム１は、Ｘ線ＣＴ装置１０を複数備えてもよい。
【００１４】
また、図１においては、医用データ収集装置の例としてＸ線ＣＴ装置１０を示すが、実施形態はこれに限定されるものではない。即ち、医用診断システム１は、Ｘ線ＣＴ装置１０に加えて、又はＸ線ＣＴ装置１０に代えて、ＭＲＩ装置、ＰＥＴ装置、ＳＰＥＣＴ装置、超音波診断装置といった他種の医用データ収集装置を備えてもよい。
【００１５】
次に、図２Ａを用いて、Ｘ線ＣＴ装置１０の構成について説明する。図２Ａは、第１の実施形態に係るＸ線ＣＴ装置１０の構成の一例を示すブロック図である。図２Ａに示すように、Ｘ線ＣＴ装置１０は、架台装置１１０と、寝台装置１３０と、コンソール装置１４０とを有する。
【００１６】
図２Ａにおいては、非チルト状態での回転フレーム１１３の回転軸又は寝台装置１３０の天板１３３の長手方向をＺ軸方向とする。また、Ｚ軸方向に直交し、床面に対し水平である軸方向をＸ軸方向とする。また、Ｚ軸方向に直交し、床面に対し垂直である軸方向をＹ軸方向とする。なお、図２Ａは、説明のために架台装置１１０を複数方向から描画したものであり、Ｘ線ＣＴ装置１０が架台装置１１０を１つ有する場合を示す。
【００１７】
架台装置１１０は、Ｘ線管１１１と、Ｘ線検出器１１２と、回転フレーム１１３と、Ｘ線高電圧装置１１４と、制御装置１１５と、ウェッジ１１６と、コリメータ１１７と、ＤＡＳ（Data  Acquisition  System）１１８とを有する。
【００１８】
Ｘ線管１１１は、熱電子を発生する陰極（フィラメント）と、熱電子の衝突を受けてＸ線を発生する陽極（ターゲット）とを有する真空管である。Ｘ線管１１１は、Ｘ線高電圧装置１１４からの高電圧の印加により、陰極から陽極に向けて熱電子を照射することで、被検体Ｐに対して照射するＸ線を発生する。
【００１９】
Ｘ線検出器１１２は、Ｘ線を検出する検出素子を複数有する。Ｘ線検出器１１２における各検出素子は、Ｘ線管１１１から照射されて被検体Ｐを通過したＸ線を検出し、検出したＸ線量に対応した信号をＤＡＳ１１８へと出力する。Ｘ線検出器１１２は、例えば、Ｘ線管１１１の焦点を中心とした１つの円弧に沿ってチャンネル方向（チャネル方向）に複数の検出素子が配列された複数の検出素子列を有する。Ｘ線検出器１１２は、例えば、チャンネル方向に複数の検出素子が配列された検出素子列が列方向（スライス方向、roｗ方向）に複数配列された構造を有する。
【００２０】
例えば、Ｘ線検出器１１２は、グリッドと、シンチレータアレイと、光センサアレイとを有する間接変換型の検出器である。シンチレータアレイは、複数のシンチレータを有する。シンチレータは入射Ｘ線量に応じた光子量の光を出力するシンチレータ結晶を有する。グリッドは、シンチレータアレイのＸ線入射側の面に配置され、散乱Ｘ線を吸収するＸ線遮蔽板を有する。なお、グリッドはコリメータ（１次元コリメータ又は２次元コリメータ）と呼ばれる場合もある。光センサアレイは、シンチレータからの光量に応じた電気信号に変換する機能を有し、例えば、フォトダイオード等の光センサを有する。なお、Ｘ線検出器１１２は、入射したＸ線を電気信号に変換する半導体素子を有する直接変換型の検出器であっても構わない。
【００２１】
回転フレーム１１３は、Ｘ線管１１１とＸ線検出器１１２とを対向支持し、制御装置１１５によってＸ線管１１１とＸ線検出器１１２とを回転させる円環状のフレームである。例えば、回転フレーム１１３は、アルミニウムを材料とした鋳物である。なお、回転フレーム１１３は、Ｘ線管１１１及びＸ線検出器１１２に加えて、Ｘ線高電圧装置１１４やウェッジ１１６、コリメータ１１７、ＤＡＳ１１８等を更に支持することもできる。更に、回転フレーム１１３は、図２Ａにおいて図示しない種々の構成を更に支持することもできる。以下では、架台装置１１０において、回転フレーム１１３、及び、回転フレーム１１３と共に回転移動する部分を、回転部とも記載する。
【００２２】
Ｘ線高電圧装置１１４は、変圧器（トランス）及び整流器等の電気回路を有し、Ｘ線管１１１に印加する高電圧を発生する高電圧発生装置と、Ｘ線管１１１が発生するＸ線に応じた出力電圧の制御を行なうＸ線制御装置とを有する。高電圧発生装置は、変圧器方式であってもよいし、インバータ方式であってもよい。なお、Ｘ線高電圧装置１１４は、回転フレーム１１３に設けられてもよいし、図示しない固定フレームに設けられても構わない。
【００２３】
制御装置１１５は、ＣＰＵ（Central  Processing  Unit）等を有する処理回路と、モータ及びアクチュエータ等の駆動機構とを有する。制御装置１１５は、後述する入力インターフェースからの入力信号を受けて、架台装置１１０及び寝台装置１３０の動作制御を行なう。例えば、制御装置１１５は、回転フレーム１１３の回転や架台装置１１０のチルト、寝台装置１３０及び天板１３３の動作等について制御を行なう。なお、制御装置１１５は架台装置１１０に設けられてもよいし、コンソール装置１４０に設けられてもよい。
【００２４】
ウェッジ１１６は、Ｘ線管１１１から照射されたＸ線量を調節するためのフィルタである。具体的には、ウェッジ１１６は、Ｘ線管１１１から被検体Ｐへ照射されるＸ線が、予め定められた分布になるように、Ｘ線管１１１から照射されたＸ線を透過して減衰するフィルタである。例えば、ウェッジ１１６は、ウェッジフィルタ（wedge  filter）やボウタイフィルタ（bow-tie  filter）であり、所定のターゲット角度や所定の厚みとなるようにアルミニウム等を加工したフィルタである。
【００２５】
コリメータ１１７は、ウェッジ１１６を透過したＸ線の照射範囲を絞り込むための鉛板等であり、複数の鉛板等の組み合わせによってスリットを形成する。なお、コリメータ１１７は、Ｘ線絞りと呼ばれる場合もある。また、図２Ａにおいては、Ｘ線管１１１とコリメータ１１７との間にウェッジ１１６が配置される場合を示すが、Ｘ線管１１１とウェッジ１１６との間にコリメータ１１７が配置される場合であってもよい。この場合、ウェッジ１１６は、Ｘ線管１１１から照射され、コリメータ１１７により照射範囲が制限されたＸ線を透過して減衰させる。
【００２６】
ＤＡＳ１１８は、Ｘ線検出器１１２が有する各検出素子によって検出されるＸ線の信号を収集する。例えば、ＤＡＳ１１８は、各検出素子から出力される電気信号に対して増幅処理を行なう増幅器と、電気信号をデジタル信号に変換するＡ／Ｄ変換器とを有し、検出データを生成する。なお、ＤＡＳ１１８が生成する検出データは、被検体Ｐに対してスキャンを実行することにより収集されるデータの一例である。ＤＡＳ１１８は、例えば、プロセッサにより実現される。
【００２７】
ＤＡＳ１１８が生成した検出データは、回転フレーム１１３に設けられた発光ダイオード（Light  Emitting  Diode：ＬＥＤ）を有する送信機から、光通信によって、架台装置１１０の非回転部分（例えば、固定フレーム等。図２Ａでの図示は省略している）に設けられた、フォトダイオードを有する受信機に送信され、コンソール装置１４０へと転送される。ここで、非回転部分とは、例えば、回転フレーム１１３を回転可能に支持する固定フレーム等である。なお、回転フレーム１１３から架台装置１１０の非回転部分への検出データの送信方法は、光通信に限らず、非接触型の如何なるデータ伝送方式を採用してもよいし、接触型のデータ伝送方式を採用しても構わない。
【００２８】
寝台装置１３０は、スキャン対象である被検体Ｐを載置、移動させる装置であり、基台１３１と、寝台駆動装置１３２と、天板１３３と、支持フレーム１３４とを有する。基台１３１は、支持フレーム１３４を鉛直方向に移動可能に支持する筐体である。寝台駆動装置１３２は、被検体Ｐが載置された天板１３３を、天板１３３の長軸方向に移動する駆動機構であり、モータ及びアクチュエータ等を含む。支持フレーム１３４の上面に設けられた天板１３３は、被検体Ｐが載置される板である。なお、寝台駆動装置１３２は、天板１３３に加え、支持フレーム１３４を天板１３３の長軸方向に移動してもよい。
【００２９】
コンソール装置１４０は、ホストコンピュータ１４１と、前処理回路１４２と、再構成回路１４３と、後処理回路１４４と、第１記憶回路１４５と、第２記憶回路１４６とを備える。なお、コンソール装置１４０は架台装置１１０とは別体として説明するが、架台装置１１０にコンソール装置１４０又はコンソール装置１４０の各構成要素の一部が含まれてもよい。
【００３０】
ホストコンピュータ１４１は、ユーザによる入力操作を受け付けて、Ｘ線ＣＴ装置１０の全体の動作を制御する装置である。なお、図２Ａにおいては、コンソール装置１４０がホストコンピュータ１４１を含むものとして説明するが、ホストコンピュータ１４１はコンソール装置１４０とは別体として構成されてもよい。
【００３１】
ここで、図２Ｂを用いて、ホストコンピュータ１４１の構成について説明する。図２Ｂは、第１の実施形態に係るホストコンピュータ１４１の構成の一例を示すブロック図である。図２Ｂに示すように、ホストコンピュータ１４１は、入力インターフェース１４１１、ディスプレイ１４１２、第３記憶回路１４１３、及び、処理回路１４１４を備える。
【００３２】
入力インターフェース１４１１は、ユーザから各種の入力操作を受け付けて、受け付けた入力操作を電気信号に変換して処理回路１４１４に出力する。例えば、入力インターフェース１４１１は、マウスやキーボード、トラックボール、スイッチ、ボタン、ジョイスティック、操作面へ触れることで入力操作を行なうタッチパッド、表示画面とタッチパッドとが一体化されたタッチスクリーン、光学センサを用いた非接触入力回路、音声入力回路等により実現される。なお、入力インターフェース１４１１は、ホストコンピュータ１４１本体と無線通信可能なタブレット端末等で構成されることにしても構わない。また、入力インターフェース１４１１は、マウスやキーボード等の物理的な操作部品を備えるものだけに限られない。例えば、ホストコンピュータ１４１とは別体に設けられた外部の入力機器から入力操作に対応する電気信号を受け取り、この電気信号を処理回路１４１４へ出力する電気信号の処理回路も入力インターフェース１４１１の例に含まれる。
【００３３】
ディスプレイ１４１２は、各種の情報を表示する。例えば、ディスプレイ１４１２は、処理回路１４１４によって生成され、又はサーバ２０から受信した各種の画像を表示したり、ユーザから各種の操作を受け付けるためのＧＵＩ（Graphical  User  Interface）を表示したりする。例えば、ディスプレイ１４１２は、液晶ディスプレイやＣＲＴ（Cathode  Ray  Tube）ディスプレイである。ディスプレイ１４１２は、デスクトップ型でもよいし、ホストコンピュータ１４１本体と無線通信可能なタブレット端末等で構成されることにしても構わない。
【００３４】
なお、ホストコンピュータ１４１は、ディスプレイ１４１２を複数含んでもよい。例えば、ホストコンピュータ１４１は、ディスプレイ１４１２として、物理的に分離した２つのディスプレイ（デュアルディスプレイ）を含んでもよい。また、これら複数のディスプレイ１４１２は相互に関連するように制御されてもよい。例えば、複数のディスプレイ１４１２は、連続した１つの領域を表示するように制御される。この場合、ディスプレイ１４１２における表示領域は、ディスプレイ１４１２の数に応じて拡張される。
【００３５】
第３記憶回路１４１３は、例えば、ＲＡＭ（Random  Access  Memory）、フラッシュメモリ等の半導体メモリ素子、ハードディスク、光ディスク等により実現される。例えば、第３記憶回路１４１３は、Ｘ線ＣＴ装置１０に含まれる各回路がその機能を実現するためのプログラムを記憶する。
【００３６】
処理回路１４１４は、スキャン機能１４１４ａ、関連付け機能１４１４ｂ、通信機能１４１４ｃ、受付機能１４１４ｄ、及び、制御機能１４１４ｅを実行することで、Ｘ線ＣＴ装置１０全体の動作を制御する。なお、スキャン機能１４１４ａは、スキャン部の一例である。また、関連付け機能１４１４ｂは、関連付け部の一例である。また、通信機能１４１４ｃは、通信部の一例である。また、受付機能１４１４ｄは、受付部の一例である。
【００３７】
例えば、処理回路１４１４は、スキャン機能１４１４ａに相当するプログラムを第３記憶回路１４１３から読み出して実行することにより、被検体Ｐに対してスキャンを実行してデータを収集する。一例を挙げると、スキャン機能１４１４ａは、Ｘ線高電圧装置１１４を制御することにより、Ｘ線管１１１に高電圧を供給する。これにより、Ｘ線管１１１は、被検体Ｐに対して照射するＸ線を発生する。また、スキャン機能１４１４ａは、寝台駆動装置１３２を制御することにより、被検体Ｐを架台装置１１０の撮影口内へ移動させる。また、スキャン機能１４１４ａは、ウェッジ１１６の位置を調整する。また、スキャン機能１４１４ａは、コリメータ１１７の開口度及び位置を調整する。また、スキャン機能１４１４ａは、制御装置１１５を制御することにより、回転部を回転させる。そして、スキャン機能１４１４ａは、ＤＡＳ１１８を制御してＸ線検出器１１２における各検出素子からＸ線の信号を収集し、検出データを生成する。
【００３８】
また、処理回路１４１４は、関連付け機能１４１４ｂに相当するプログラムを第３記憶回路１４１３から読み出して実行することにより、処理の要求を、処理対象となるデータに対して関連付ける。また、処理回路１４１４は、通信機能１４１４ｃに相当するプログラムを第３記憶回路１４１３から読み出して実行することにより、ネットワークＮＷを介したデータの送受信を制御する。例えば、通信機能１４１４ｃは、関連付け機能１４１４ｂによって関連付けが行われたデータをサーバ２０に送信する。また、処理回路１４１４は、受付機能１４１４ｄに相当するプログラムを第３記憶回路１４１３から読み出して実行することにより、入力インターフェース１４１１を介して、ユーザから各種の入力操作を受け付ける。なお、関連付け機能１４１４ｂが関連付けを行なう処理の要求及びデータ、通信機能１４１４ｃがサーバ２０に送信するデータ、及び、受付機能１４１４ｄが受け付ける入力操作については、それぞれ後に詳述する。
【００３９】
また、処理回路１４１４は、制御機能１４１４ｅに相当するプログラムを第３記憶回路１４１３から読み出して実行することにより、ディスプレイ１４１２における表示の制御を行なう。例えば、制御機能１４１４ｅは、ユーザから各種の操作を受け付けるためのＧＵＩをディスプレイ１４１２に表示させる。また、例えば、制御機能１４１４ｅは、後述する第２記憶回路１４６に記憶された各種の画像データをディスプレイ１４１２に表示させる。一例を挙げると、制御機能１４１４ｅは、前処理済みデータに基づいて再構成された画像データや後処理済み画像データを第２記憶回路１４６から読み出して、ディスプレイ１４１２に表示させる。また、制御機能１４１４ｅは、処理の要求を作成する。なお、処理の要求については後述する。
【００４０】
図２Ａに戻って説明を続ける。前処理回路１４２は、前処理要求、及び、ＤＡＳ１１８から出力されたデータに基づいて前処理を実行し、前処理済みデータを生成する。例えば、前処理回路１４２は、前処理要求に従って、ＤＡＳ１１８から出力されたデータに対して、対数変換処理やオフセット補正処理、チャンネル間の感度補正処理、ビームハードニング補正等の前処理を施す。なお、ＤＡＳ１１８から出力され、前処理が施される前のデータについては、純生データとも記載する。また、前処理が施された後の前処理済みデータについては、生データとも記載する。また、前処理が施される前のデータ、及び、前処理が施された後の前処理済みデータを総称して、投影データとも記載する。
【００４１】
なお、前処理要求は、予め設定されるものであってもよいし、ユーザが設定するものであってもよい。例えば、前処理要求は、前処理の種類や条件を設定した前処理パラメータセットを含む。また、例えば、前処理要求は、前処理パラメータセットを特定するための情報を含む。一例を挙げると、ホストコンピュータ１４１における第３記憶回路１４１３は、前処理パラメータセットを特定するための情報と、前処理パラメータセットとを対応付けたテーブルを記憶する。この場合、前処理回路１４２は、前処理パラメータセットを特定するための情報と第３記憶回路１４１３に記憶されたテーブルとに基づいて前処理パラメータセットを特定し、特定した前処理パラメータセットに従って、ＤＡＳ１１８から出力されたデータに対する前処理を実行する。
【００４２】
再構成回路１４３は、再構成要求及び前処理済みデータに基づいて再構成処理を実行し、画像データを再構成する。例えば、再構成回路１４３は、再構成要求に従って、前処理済みデータに対してフィルタ補正逆投影法や逐次近似再構成法等を用いた再構成処理を行なうことにより、画像データを生成する。なお、前処理済みデータに基づいて再構成された画像データについては、再構成画像データとも記載する。再構成画像データは、例えば、Ｚ軸方向の各位置について生成された複数の断層画像（スライス）である。
【００４３】
なお、再構成要求は、予め設定されるものであってもよいし、ユーザが設定するものであってもよい。例えば、再構成要求は、再構成処理の種類や条件を設定した再構成パラメータセットを含む。また、例えば、再構成要求は、再構成パラメータセットを特定するための情報を含む。一例を挙げると、ホストコンピュータ１４１における第３記憶回路１４１３は、再構成パラメータセットを特定するための情報と、再構成パラメータセットとを対応付けたテーブルを記憶する。この場合、再構成回路１４３は、再構成パラメータセットを特定するための情報と第３記憶回路１４１３に記憶されたテーブルとに基づいて再構成パラメータセットを特定し、特定した再構成パラメータセットに従って、前処理済みデータに対する再構成処理を実行する。
【００４４】
後処理回路１４４は、後処理要求及び再構成画像データに基づいて後処理を実行し、後処理済み画像データを生成する。例えば、後処理回路１４４は、後処理要求に従って再構成画像データに対して解析処理を実行し、後処理済み画像データとして、解析結果を示す画像データを生成する。また、例えば、後処理回路１４４は、後処理要求に従い、後処理済み画像データとして、再構成画像データから診断用の２次元画像データを生成する。
【００４５】
なお、後処理要求は、予め設定されるものであってもよいし、ユーザが設定するものであってもよい。例えば、後処理要求は、後処理の種類や条件を設定した後処理パラメータセットを含む。また、例えば、後処理要求は、後処理パラメータセットを特定するための情報を含む。一例を挙げると、ホストコンピュータ１４１における第３記憶回路１４１３は、後処理パラメータセットを特定するための情報と、後処理パラメータセットとを対応付けたテーブルを記憶する。この場合、後処理回路１４４は、後処理パラメータセットを特定するための情報と第３記憶回路１４１３に記憶されたテーブルとに基づいて後処理パラメータセットを特定し、特定した後処理パラメータセットに従って、再構成画像データに対する後処理を実行する。
【００４６】
第１記憶回路１４５は、前処理済みデータ（生データ）を記憶する。なお、第１記憶回路１４５は、前処理が施される前のデータ（純生データ）を更に記憶することとしてもよい。第２記憶回路１４６は、各種の画像データを記憶する。例えば、第２記憶回路１４６は、前処理済みデータに基づいて再構成された再構成画像データや、再構成画像データを処理して生成された後処理済み画像データを記憶する。例えば、第１記憶回路１４５及び第２記憶回路１４６は、ＲＡＭ、フラッシュメモリ等の半導体メモリ素子、ハードディスク、光ディスク等により実現される。
【００４７】
図２Ａ及び図２Ｂに示したＸ線ＣＴ装置１０においては、各処理機能がコンピュータによって実行可能なプログラムの形態で第３記憶回路１４１３へ記憶されている。処理回路１４１４、前処理回路１４２、再構成回路１４３及び後処理回路１４４は、第３記憶回路１４１３からプログラムを読み出して実行することで各プログラムに対応する機能を実現するプロセッサである。換言すると、プログラムを読み出した状態の処理回路１４１４、前処理回路１４２、再構成回路１４３及び後処理回路１４４は、それぞれ、読み出したプログラムに対応する機能を有することとなる。
【００４８】
なお、図２Ｂにおいては単一の処理回路１４１４にて、スキャン機能１４１４ａ、関連付け機能１４１４ｂ、通信機能１４１４ｃ、受付機能１４１４ｄ、及び、制御機能１４１４ｅが実現するものとして説明したが、複数の独立したプロセッサを組み合わせて処理回路１４１４を構成し、各プロセッサがプログラムを実行することにより機能を実現するものとしても構わない。また、処理回路１４１４、前処理回路１４２、再構成回路１４３及び後処理回路１４４が有する各処理機能は、単一又は複数の処理回路に適宜に分散又は統合されて実現されてもよい。
【００４９】
次に、図３を用いて、サーバ２０について説明する。図３は、第１の実施形態に係るサーバ２０の構成の一例を示すブロック図である。図３に示すように、サーバ２０は、入力インターフェース２１、ディスプレイ２２、第４記憶回路２３、処理回路２４、及び、再構成回路２５を備える。
【００５０】
入力インターフェース２１は、ユーザから各種の入力操作を受け付けて、受け付けた入力操作を電気信号に変換して処理回路２４に出力する。例えば、入力インターフェース２１は、マウスやキーボード、トラックボール、スイッチ、ボタン、ジョイスティック、操作面へ触れることで入力操作を行なうタッチパッド、表示画面とタッチパッドとが一体化されたタッチスクリーン、光学センサを用いた非接触入力回路、音声入力回路等により実現される。なお、入力インターフェース２１は、サーバ２０本体と無線通信可能なタブレット端末等で構成されることにしても構わない。また、入力インターフェース２１は、マウスやキーボード等の物理的な操作部品を備えるものだけに限られない。例えば、サーバ２０とは別体に設けられた外部の入力機器から入力操作に対応する電気信号を受け取り、この電気信号を処理回路２４へ出力する電気信号の処理回路も入力インターフェース２１の例に含まれる。
【００５１】
ディスプレイ２２は、各種の情報を表示する。例えば、ディスプレイ２２は、Ｘ線ＣＴ装置１０から送信された画像を表示したり、処理回路２４によって生成された画像を表示したり、ユーザから各種の操作を受け付けるためのＧＵＩを表示したりする。例えば、ディスプレイ２２は、液晶ディスプレイやＣＲＴディスプレイである。ディスプレイ２２は、デスクトップ型でもよいし、サーバ２０本体と無線通信可能なタブレット端末等で構成されることにしても構わない。なお、ホストコンピュータ１４１におけるディスプレイ１４１２と同様、サーバ２０は、ディスプレイ２２を複数含んでもよい。
【００５２】
第４記憶回路２３は、例えば、ＲＡＭ、フラッシュメモリ等の半導体メモリ素子、ハードディスク、光ディスク等により実現される。例えば、第４記憶回路２３は、サーバ２０に含まれる各回路がその機能を実現するためのプログラムを記憶する。
【００５３】
処理回路２４は、通信機能２４１、受付機能２４２、及び、制御機能２４３を実行することで、サーバ２０全体の動作を制御する。例えば、処理回路２４は、通信機能２４１に相当するプログラムを第４記憶回路２３から読み出して実行することにより、ネットワークＮＷを介したデータの送受信を制御する。例えば、通信機能２４１は、関連付け機能１４１４ｂによって関連付けが行われたデータを、Ｘ線ＣＴ装置１０から受信する。また、処理回路２４は、受付機能２４２に相当するプログラムを第４記憶回路２３から読み出して実行することにより、入力インターフェース２１を介して、ユーザから各種の入力操作を受け付ける。また、処理回路２４は、制御機能２４３に相当するプログラムを第４記憶回路２３から読み出して実行することにより、ディスプレイ２２における表示の制御を行なう。
【００５４】
再構成回路２５は、再構成要求及び前処理済みデータに基づいて再構成処理を実行し、再構成画像データを再構成する。例えば、再構成回路２５は、Ｘ線ＣＴ装置１０から送信された前処理済みデータと、前処理済みデータに関連付けられた再構成要求とに基づいて、再構成画像データを再構成する。なお、再構成回路２５は、再構成部の一例である。
【００５５】
図３に示すサーバ２０においては、各処理機能がコンピュータによって実行可能なプログラムの形態で第４記憶回路２３へ記憶されている。処理回路２４及び再構成回路２５は、第４記憶回路２３からプログラムを読み出して実行することで各プログラムに対応する機能を実現するプロセッサである。換言すると、プログラムを読み出した状態の処理回路２４及び再構成回路２５は、それぞれ、読み出したプログラムに対応する機能を有することとなる。
【００５６】
なお、図３においては単一の処理回路２４にて、通信機能２４１、受付機能２４２及び制御機能２４３が実現するものとして説明したが、複数の独立したプロセッサを組み合わせて処理回路２４を構成し、各プロセッサがプログラムを実行することにより機能を実現するものとしても構わない。また、処理回路２４及び再構成回路２５が有する各処理機能は、単一又は複数の処理回路に適宜に分散又は統合されて実現されてもよい。
【００５７】
上記説明において用いた「プロセッサ」という文言は、例えば、ＣＰＵ、ＧＰＵ（Graphics  Processing  Unit）、あるいは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは第３記憶回路１４１３又は第４記憶回路２３に保存されたプログラムを読み出し実行することで機能を実現する。
【００５８】
なお、図１及び図２においては、単一の第３記憶回路１４１３又は第４記憶回路２３が各処理機能に対応するプログラムを記憶するものとして説明した。しかしながら、実施形態はこれに限定されるものではない。例えば、複数の第３記憶回路１４１３を分散して配置し、処理回路１４１４、前処理回路１４２、再構成回路１４３及び後処理回路１４４は、個別の第３記憶回路１４１３から対応するプログラムを読み出す構成としても構わない。同様に、複数の第４記憶回路２３を分散して配置し、処理回路２４及び再構成回路２５は、個別の第４記憶回路２３から対応するプログラムを読み出す構成としても構わない。また、第３記憶回路１４１３又は第４記憶回路２３にプログラムを保存する代わりに、プロセッサの回路内にプログラムを直接組み込むよう構成しても構わない。この場合、プロセッサは、回路内に組み込まれたプログラムを読み出し実行することで機能を実現する。
【００５９】
上述したように、医用診断システム１は、Ｘ線ＣＴ装置１０に含まれる再構成回路１４３と、サーバ２０に含まれる再構成回路２５とを備える。この場合、再構成処理は、再構成回路１４３により行われてもよいし、再構成回路２５により行われてもよい。一例を挙げると、医用診断システム１においては、従来法による再構成処理は再構成回路１４３により行われ、計算負荷の大きい再構成処理やその他特殊な再構成処理は再構成回路２５により行われる。なお、第１の実施形態においては、前処理は前処理回路１４２が実行するものとして説明する。また、第１の実施形態においては、後処理は後処理回路１４４が実行し、或いは後処理は実行されないものとして説明する。
【００６０】
ここで、図４を用いて、再構成処理が再構成回路１４３により行われる場合における、処理対象となるデータ及び処理の要求の管理について説明する。図４は、第１の実施形態に係るデータ及び管理の一例を示す図である。
【００６１】
例えば、まず、ホストコンピュータ１４１は、被検体Ｐに対してスキャンを実行することによりデータを収集する。ここで、前処理回路１４２は、前処理要求に従って、スキャンを実行することによって収集されたデータを処理する。例えば、前処理回路１４２は、ＤＡＳ１１８から出力されたデータを順次処理し、生成した前処理済みデータを第１記憶回路１４５に記憶させる。なお、前処理要求は、例えば、ホストコンピュータ１４１においてユーザにより設定され、或いは事前に設定されて、ホストコンピュータ１４１の第３記憶回路１４１３に記憶される。即ち、前処理回路１４２は、ホストコンピュータ１４１から取得した前処理要求と、ＤＡＳ１１８から取得したデータとに基づいて前処理を実行する。或いは、前処理回路１４２は、被検体Ｐに対してスキャンを実行することにより収集され、第１記憶回路１４５に記憶されたデータに対して前処理を実行してもよい。この場合、前処理回路１４２は、ホストコンピュータ１４１から取得した前処理要求と、第１記憶回路１４５から取得したデータとに基づいて前処理を実行することとなる。
【００６２】
次に、再構成回路１４３は、図４に示すように、第１記憶回路１４５から前処理済みデータを読み出す。また、再構成回路１４３は、再構成要求に従って再構成処理を実行して、再構成画像データを生成する。また、再構成回路１４３は、生成した再構成画像データを第２記憶回路１４６に記憶させる。なお、再構成要求は、例えば、ホストコンピュータ１４１においてユーザにより設定され、或いは事前に設定されて、ホストコンピュータ１４１の第３記憶回路１４１３に記憶される。即ち、再構成回路１４３は、ホストコンピュータ１４１から取得した再構成要求と、第１記憶回路１４５から取得した前処理済みデータとに基づいて再構成処理を実行する。
【００６３】
次に、後処理回路１４４は、第２記憶回路１４６から再構成画像データを読み出し、後処理要求に従って後処理を実行して、後処理済み画像データを生成する。また、後処理回路１４４は、生成した後処理済み画像データを第２記憶回路１４６に記憶させる。なお、後処理要求は、例えば、ホストコンピュータ１４１においてユーザにより設定され、或いは事前に設定されて、ホストコンピュータ１４１の第３記憶回路１４１３に記憶される。即ち、後処理回路１４４は、ホストコンピュータ１４１から取得した後処理要求と、第２記憶回路１４６から取得した再構成画像データとに基づいて後処理を実行する。
【００６４】
ここで、図５を用いて、再構成回路１４３による再構成処理についてより詳細に説明する。図５は、第１の実施形態に係る再構成処理の一例を示す図である。なお、図５においては、再構成処理の対象となる前処理済みデータの一例として、前処理済みデータＤｂ１１について説明する。また、被検体Ｐに対してスキャンを実行することで収集されたデータであって、前処理済みデータＤｂ１１の生成に使用されたデータをデータＤａ１１と記載する。また、前処理済みデータＤｂ１１に基づいて再構成された再構成画像データを画像データＤｃ１１と記載し、画像データＤｃ１１を処理して生成された後処理済み画像データを後処理済み画像データＤｄ１１と記載する。
【００６５】
図５に示すように、ホストコンピュータ１４１は、まず、再構成要求に対応する再構成パラメータセットを作成する。なお、再構成パラメータセットの具体例としては、再構成処理の種類や条件が挙げられる。例えば、再構成パラメータセットには、ＦＢＰ（Filtered  Back  Projection）法や逐次近似再構成法、逐次近似応用再構成法、ＤＬＲ（Deep  Learning  Reconstruction）法といった各種の再構成処理のうち、いずれの種類の再構成を実行するかを示す情報が含まれる。また、例えば、再構成パラメータセットには、処理の繰り返し回数（イタレーション数）、ＦＯＶ（Field  Of  View）のサイズ、使用するフィルタの種類やサイズといった各種の再構成条件の設定値が含まれる。例えば、ホストコンピュータ１４１は、入力インターフェース１４１１を介してユーザからの入力操作を受け付けることにより、再構成パラメータセットを作成する。或いは、ホストコンピュータ１４１は、スキャン条件や患者情報等に基づいて、再構成パラメータセットを自動で作成してもよい。
【００６６】
次に、ホストコンピュータ１４１は、前処理済みデータＤｂ１１の保存先を取得する。例えば、ホストコンピュータ１４１は、入力インターフェース１４１１を介してユーザからの入力操作を受け付けることにより、前処理済みデータＤｂ１１の保存先を取得する。或いは、ホストコンピュータ１４１は、空き容量等に基づいて、前処理済みデータＤｂ１１の保存先を自動で取得してもよい。なお、以下では、前処理済みデータＤｂ１１の保存先として、第１記憶回路１４５を取得したものとして説明する。
【００６７】
次に、ホストコンピュータ１４１は、画像データＤｃ１１の保存先を取得する。例えば、ホストコンピュータ１４１は、入力インターフェース１４１１を介してユーザからの入力操作を受け付けることにより、画像データＤｃ１１の保存先を取得する。或いは、ホストコンピュータ１４１は、空き容量等に基づいて、画像データＤｃ１１の保存先を自動で取得してもよい。なお、以下では、画像データＤｃ１１の保存先として、第２記憶回路１４６を取得したものとして説明する。
【００６８】
次に、ホストコンピュータ１４１は、再構成回路１４３に対して、作成した再構成要求を送信するとともに、前処理済みデータＤｂ１１及び画像データＤｃ１１の保存先を通知する。次に、再構成回路１４３は、ホストコンピュータ１４１からの通知に基づいて、前処理済みデータＤｂ１１を第１記憶回路１４５から読み込む。次に、再構成回路１４３は、ホストコンピュータ１４１から送信された再構成要求、及び第１記憶回路１４５から読み込んだ前処理済みデータＤｂ１１に基づいて、画像データＤｃ１１を再構成する。そして、再構成回路１４３は、ホストコンピュータ１４１からの通知に基づいて、再構成した画像データＤｃ１１を第２記憶回路１４６に保存し、処理を終了する。
【００６９】
上述したように、処理対象となるデータ及び処理の要求は、コンソール装置１４０内に分散している。例えば、前処理要求や再構成要求、後処理要求といった各要求は、ホストコンピュータ１４１において管理されている。また、例えば、データＤａ１１や前処理済みデータＤｂ１１といった投影データは、第１記憶回路１４５において管理されている。また、例えば、画像データＤｃ１１や後処理済み画像データＤｄ１１といった画像データは、第２記憶回路１４６において管理されている。
【００７０】
従って、処理を実行する上では、処理対象となるデータ及び処理の要求をそれぞれ収集する必要があり、処理フローが複雑なものとなる。特に、再構成処理をサーバ２０の再構成回路２５が実行する場合等、処理の一部が別装置で実行される場合には、処理フローの複雑化が顕著である。また、同一のデータに対して処理の要求が複数ある場合もある。例えば、同一の前処理済みデータに対して、ＦＢＰ法による再構成処理と逐次近似再構成法による再構成処理とが要求される場合がある。そして、コンソール装置１４０内に分散しているデータ及び複数の要求に基づく処理を、コンソール装置１４０と異なる別装置において実行するとなれば、処理フローは更に複雑化する。
【００７１】
そこで、Ｘ線ＣＴ装置１０は、処理対象となるデータ及び処理の要求を効率的に管理することで、処理の一部が別装置で実行される場合や処理の要求が複数ある場合においても効率的に処理を進めることを可能とする。
【００７２】
以下では、前処理をＸ線ＣＴ装置１０における前処理回路１４２が実行し、再構成処理をサーバ２０における再構成回路２５が実行する場合について説明する。また、以下では、同一の前処理済みデータに対して、種類が異なる複数の画像データを再構成するための複数の再構成要求がある場合について説明する。この場合、Ｘ線ＣＴ装置１０は、複数の再構成要求を前処理済みデータに関連付け、複数の再構成要求が関連付けられた前処理済みデータを、再構成回路２５を備えたサーバ２０に送信する。
【００７３】
一例を挙げると、ユーザは、同一の前処理済みデータＤｂ２１から、標準偏差（ＳＤ：Standard  Deviation）や解像度が異なる複数の再構成画像データを取得するため、再構成要求Ｒｒ１１に対応する再構成パラメータセットＰｒ１１と、再構成要求Ｒｒ１２に対応する再構成パラメータセットＰｒ１２とを設定する。この場合、関連付け機能１４１４ｂは、再構成要求Ｒｒ１１及び再構成要求Ｒｒ１２を、前処理済みデータＤｂ２１に関連付ける。例えば、関連付け機能１４１４ｂは、図６Ａに示すように、再構成要求Ｒｒ１１に対応する再構成パラメータセットＰｒ１１と、再構成要求Ｒｒ１２に対応する再構成パラメータセットＰｒ１２とを、前処理済みデータＤｂ２１に付帯させる。また、通信機能１４１４ｃは、再構成要求Ｒｒ１１及び再構成要求Ｒｒ１２が関連付けられた前処理済みデータＤｂ２１を、再構成回路２５を備えたサーバ２０に送信する。なお、図６Ａは、第１の実施形態に係る関連付けの一例を示す図である。
【００７４】
ここで、図６Ｂを用いて、再構成回路２５による再構成処理についてより詳細に説明する。図６Ｂは、第１の実施形態に係る再構成処理の一例を示す図である。なお、図６Ｂにおいては、再構成処理の対象となる前処理済みデータの一例として、前処理済みデータＤｂ２１について説明する。また、被検体Ｐに対してスキャンを実行することで収集されたデータであって、前処理済みデータＤｂ２１の生成に使用されたデータをデータＤａ２１と記載する。また、前処理済みデータＤｂ２１に基づいて再構成された再構成画像データを画像データＤｃ２１と記載する。
【００７５】
例えば、まず、スキャン機能１４１４ａは、被検体Ｐに対してスキャンを実行することによりデータＤａ２１を収集する。また、前処理回路１４２は、データＤａ２１を処理して前処理済みデータＤｂ２１を生成し、第１記憶回路１４５に保存する。
【００７６】
次に、制御機能１４１４ｅは、第１記憶回路１４５から前処理済みデータＤｂ２１を読み込み、各再構成要求に対して再構成パラメータセットを作成する。例えば、制御機能１４１４ｅは、まず、第１記憶回路１４５に保存された複数の前処理済みデータの中から前処理済みデータＤｂ２１を選択する操作を、入力インターフェース１４１１を介して受け付ける。また、制御機能１４１４ｅは、選択された前処理済みデータＤｂ２１を示す画面をディスプレイ１４１２に表示させる。次に、制御機能１４１４ｅは、再構成パラメータセットＰｒ１１の入力操作及び再構成パラメータセットＰｒ１２の入力操作を受け付けることで、再構成要求Ｒｒ１１及び再構成要求Ｒｒ１２のそれぞれに対して再構成パラメータセットを作成する。
【００７７】
次に、関連付け機能１４１４ｂは、処理済みデータＤｂ２１に再構成要求Ｒｒ１１及び再構成要求Ｒｒ１２を関連付ける。ここで、関連付け機能１４１４ｂは、再構成要求Ｒｒ１１及び再構成要求Ｒｒ１２が関連付けられた前処理済みデータＤｂ２１を、第１記憶回路１４５に記憶させることとしてもよい。例えば、関連付け機能１４１４ｂは、再構成要求Ｒｒ１１及び再構成要求Ｒｒ１２に対応する複数の再構成パラメータセットを付帯させた前処理済みデータＤｂ２１、又は、再構成要求Ｒｒ１１及び再構成要求Ｒｒ１２に対応する複数の再構成パラメータセットを特定するための情報を付帯させた前処理済みデータＤｂ２１を、第１記憶回路１４５に記憶させる。即ち、関連付け機能１４１４ｂは、関連付けした状態において、再構成要求Ｒｒ１１及び再構成要求Ｒｒ１２と、前処理済みデータＤｂ２１とを、第１記憶回路１４５に記憶させる。或いは、関連付け機能１４１４ｂは、再構成要求Ｒｒ１１及び再構成要求Ｒｒ１２と前処理済みデータＤｂ２１とを異なる記憶回路に記憶させることとしてもよい。例えば、関連付け機能１４１４ｂは、関連付けした状態において、再構成要求Ｒｒ１１及び再構成要求Ｒｒ１２を第３記憶回路１４１３に記憶させ、前処理済みデータＤｂ２１を第１記憶回路１４５に記憶させる。
【００７８】
次に、通信機能１４１４ｃは、再構成要求Ｒｒ１１及び再構成要求Ｒｒ１２が関連付けられた前処理済みデータＤｂ２１をサーバ２０に送信する。次に、前処理済みデータＤｂ２１を受信したサーバ２０は、各再構成要求に対する再構成処理を実行する。例えば、サーバ２０は、前処理済みデータＤｂ２１に関連付けられた複数の再構成要求をキューに積み、順に再構成処理を実行する。
【００７９】
例えば、サーバ２０における再構成回路２５は、まず、再構成要求Ｒｒ１１に対する再構成処理を実行して、画像データＤｃ２１を再構成する。次に、通信機能２４１は、再構成された画像データＤｃ２１を、ネットワークＮＷを介して、ホストコンピュータ１４１に送信する。また、通信機能１４１４ｃは、サーバ２０から画像データＤｃ２１を受信して、第２記憶回路１４６に記憶させる。これにより、制御機能１４１４ｅは、画像データＤｃ２１に基づく表示を行なうことが可能となる。
【００８０】
次に、サーバ２０における再構成回路２５は、再構成要求Ｒｒ１２に対する再構成処理を実行して、画像データＤｃ２２を再構成する。次に、通信機能２４１は、再構成された画像データＤｃ２２を、ネットワークＮＷを介して、ホストコンピュータ１４１に送信する。また、通信機能１４１４ｃは、サーバ２０から画像データＤｃ２２を受信して第２記憶回路１４６に記憶させる。これにより、制御機能１４１４ｅは、画像データＤｃ２２に基づく表示を行なうことが可能となる。
【００８１】
図６Ａ及び図６Ｂに示したように、Ｘ線ＣＴ装置１０は、複数の再構成要求を前処理済みデータに関連付け、複数の再構成要求が関連付けられた前処理済みデータをサーバ２０に送信する。これにより、Ｘ線ＣＴ装置１０は、同一の前処理済みデータに対して複数の再構成処理がある場合においても、サーバ２０側で前処理済みデータ及び再構成要求をそれぞれ収集することなく、再構成回路２５による再構成処理を効率的に実行することを可能とする。即ち、Ｘ線ＣＴ装置１０は、処理対象となる前処理済みデータ、及び、再構成要求を効率的に管理することができる。
【００８２】
なお、通信機能１４１４ｃがサーバ２０に前処理済みデータを送信した後においても、ユーザは、種々の要求を追加することができる。例えば、通信機能１４１４ｃがサーバ２０に前処理済みデータを送信した後において、ユーザは、再構成中断要求や、複数の再構成要求の一部又は全部を削除する削除要求、追加の再構成要求といった種々の要求を追加することができる。
【００８３】
例えば、前処理済みデータＤｂ２１に関連付けられた再構成要求Ｒｒ１１及び再構成要求Ｒｒ１２と前処理済みデータＤｂ２１とに基づいて再構成回路２５が画像データＤｃ２１及び画像データＤｃ２２を再構成している間において、ユーザは、入力インターフェース１４１１を介して、再構成中断要求を入力する。この場合、受付機能１４１４ｄは、入力された再構成中断要求を受け付ける。
【００８４】
なお、受付機能１４１４ｄは、再構成回路２５が再構成処理を実行している間にのみ再構成中断要求を受け付けることとしてもよい。例えば、受付機能１４１４ｄは、サーバ２０から、再構成回路２５が再構成処理を開始した旨の通知及び再構成回路２５が再構成処理を終了した旨の通知を受け付け、再構成回路２５が再構成処理を開始してから終了するまでの間にのみ再構成中断要求を受け付ける。
【００８５】
次に、通信機能１４１４ｃは、受付機能１４１４ｄが受け付けた再構成中断要求を、再構成要求Ｒｒ１１及び再構成要求Ｒｒ１２と前処理済みデータＤｂ２１とに関連付けて、サーバ２０に送信する。例えば、通信機能１４１４ｃは、再構成要求Ｒｒ１１及び再構成要求Ｒｒ１２と前処理済みデータＤｂ２１とを特定する情報を再構成中断要求に付帯させた上で、再構成中断要求をサーバ２０に送信する。また、通信機能２４１は、Ｘ線ＣＴ装置１０から送信された再構成中断要求を受信する。
【００８６】
再構成処理を実行している間に通信機能２４１が再構成中断要求を受信した場合、再構成回路２５は、状態を保存して、再構成処理を中断する。例えば、再構成回路２５は、中断した時点での再構成処理の状態を示す情報を、第４記憶回路２３に記憶させる。また、例えば、再構成回路２５は、中断した時点での再構成処理の状態を示す情報を前処理済みデータＤｂ２１に付帯させた上で、前処理済みデータＤｂ２１を第４記憶回路２３に記憶させる。
【００８７】
再構成処理が中断した場合、受付機能１４１４ｄは、更に、入力インターフェース１４１１を介してユーザから再構成再開要求を受け付ける。受付機能１４１４ｄが再構成再開要求を受け付けた場合、通信機能１４１４ｃは、再構成再開要求を、再構成要求Ｒｒ１１及び再構成要求Ｒｒ１２と前処理済みデータＤｂ２１とに関連付けて、サーバ２０に送信する。また、通信機能２４１は、Ｘ線ＣＴ装置１０から送信された再構成再開要求を受信する。そして、通信機能２４１が再構成再開要求を受信した場合、再構成回路２５は、中断していた状態から再構成処理を再開する。
【００８８】
また、例えば、通信機能１４１４ｃがサーバ２０に前処理済みデータＤｂ２１を送信した後において、ユーザは、入力インターフェース１４１１を介して、再構成要求の削除要求を入力する。ここで、削除要求は、前処理済みデータＤｂ２１に関連付けられた再構成要求Ｒｒ１１及び再構成要求Ｒｒ１２のうちの一部のみを削除するものであってもよいし、再構成要求Ｒｒ１１及び再構成要求Ｒｒ１２の全部を削除するものであってもよい。また、受付機能１４１４ｄは、ユーザから入力された削除要求を受け付ける。以下では一例として、再構成要求Ｒｒ１１及び再構成要求Ｒｒ１２のうち、再構成要求Ｒｒ１１を削除する削除要求を受付機能１４１４ｄが受け付けた場合について説明する。
【００８９】
次に、通信機能１４１４ｃは、受付機能１４１４ｄが受け付けた削除要求を、再構成要求Ｒｒ１１及び再構成要求Ｒｒ１２と前処理済みデータＤｂ２１とに関連付けて、サーバ２０に送信する。例えば、通信機能１４１４ｃは、再構成要求Ｒｒ１１及び再構成要求Ｒｒ１２と前処理済みデータＤｂ２１とを特定する情報を削除要求に付帯させた上で、削除要求をサーバ２０に送信する。
【００９０】
次に、通信機能２４１は、Ｘ線ＣＴ装置１０から送信された、再構成要求Ｒｒ１１を削除する削除要求を受信する。ここで、再構成要求Ｒｒ１１に対する再構成処理が開始される前に通信機能２４１が削除要求を受信した場合、再構成回路２５は、キューに積まれた再構成要求Ｒｒ１１を削除する。また、再構成要求Ｒｒ１１に対する再構成処理を実行している間に通信機能２４１が再構成中断要求を受信した場合、再構成回路２５は、再構成要求Ｒｒ１１に対する再構成処理を終了する。ここで、キューに別の再構成要求が積まれている場合、再構成回路２５は、次の再構成処理を開始する。例えば、再構成回路２５は、削除された再構成要求Ｒｒ１１に対する再構成処理を終了して、再構成要求Ｒｒ１２に対する再構成処理を開始する。
【００９１】
また、例えば、通信機能１４１４ｃがサーバ２０に前処理済みデータＤｂ２１を送信した後において、ユーザは、入力インターフェース１４１１を介して、再構成要求Ｒｒ１１及び再構成要求Ｒｒ１２と異なる追加の再構成要求を入力する。以下では一例として、ユーザが追加の再構成要求Ｒｒ１３を入力した場合について説明する。また、受付機能１４１４ｄは、ユーザから入力された追加の再構成要求Ｒｒ１３を受け付ける。
【００９２】
次に、通信機能１４１４ｃは、受付機能１４１４ｄが受け付けた追加の再構成要求Ｒｒ１３を、再構成要求Ｒｒ１１及び再構成要求Ｒｒ１２と前処理済みデータＤｂ２１とに関連付けて、サーバ２０に送信する。例えば、通信機能１４１４ｃは、再構成要求Ｒｒ１１及び再構成要求Ｒｒ１２と前処理済みデータＤｂ２１とを特定する情報を追加の再構成要求Ｒｒ１３に付帯させた上で、追加の再構成要求Ｒｒ１３をサーバ２０に送信する。
【００９３】
次に、通信機能２４１は、Ｘ線ＣＴ装置１０から送信された追加の再構成要求Ｒｒ１３を受信し、追加の再構成要求Ｒｒ１３をキューに登録する。そして、再構成回路２５は、キューに積まれた再構成要求を順次読み出し、再構成要求Ｒｒ１１に対する再構成処理、再構成要求Ｒｒ１２に対する再構成処理、及び、追加の再構成要求Ｒｒ１３に対する再構成処理をそれぞれ実行する。
【００９４】
なお、入力インターフェース１４１１を介して追加の再構成要求を入力する場合について説明したが、実施形態はこれに限定されるものではない。即ち、Ｘ線ＣＴ装置１０において追加の再構成要求を入力する場合に限らず、ユーザは、任意の装置において追加の再構成要求を入力することができる。
【００９５】
例えば、ユーザは、入力インターフェース２１を介して追加の再構成要求Ｒｒ１３を入力する。即ち、ユーザは、サーバ２０において追加の再構成要求Ｒｒ１３を入力する。この場合、受付機能２４２は、ユーザから入力された追加の再構成要求Ｒｒ１３を受け付けて、キューに登録する。また、再構成回路２５は、キューに積まれた再構成要求を順次読み出し、再構成要求Ｒｒ１１に対する再構成処理、再構成要求Ｒｒ１２に対する再構成処理、及び、追加の再構成要求Ｒｒ１３に対する再構成処理をそれぞれ実行する。再構成中断要求や、再構成要求の一部又は全部を削除する削除要求についても同様に、サーバ２０における受付機能２４２が受け付けることとしてもよい。
【００９６】
次に、Ｘ線ＣＴ装置１０による処理の手順の一例を、図７を用いて説明する。図７は、第１の実施形態に係るＸ線ＣＴ装置１０の処理の一連の流れを説明するためのフローチャートである。
【００９７】
ステップＳ１０１は、処理回路１４１４が実行するスキャン機能１４１４ａに対応する。ステップＳ１０６は、処理回路１４１４が実行する関連付け機能１４１４ｂに対応する。ステップＳ１０７、ステップＳ１０９、ステップＳ１１１及びステップＳ１１５は、処理回路１４１４が実行する通信機能１４１４ｃに対応する。ステップＳ１０８、ステップＳ１１０、ステップＳ１１２、ステップＳ１１３及びステップＳ１１６は、処理回路１４１４が実行する受付機能１４１４ｄに対応する。ステップＳ１０４及びステップＳ１０５は、処理回路１４１４が実行する制御機能１４１４ｅに対応する。ステップＳ１０２及びステップＳ１０３は、前処理回路１４２に対応する。
【００９８】
まず、処理回路１４１４は、被検体Ｐに対してスキャンを実行することによりデータを収集する（ステップＳ１０１）。次に、前処理回路１４２は、ステップＳ１０１にて収集されたデータに対する前処理を実行し（ステップＳ１０２）、前処理済みデータを第１記憶回路１４５に保存する（ステップＳ１０３）。次に、処理回路１４１４は、再構成要求の有無を判定し（ステップＳ１０４）、再構成要求がない場合には待機状態となる（ステップＳ１０４否定）。
【００９９】
一方で、再構成要求があった場合（ステップＳ１０４肯定）、処理回路１４１４は、再構成要求に対応する再構成パラメータセットを作成し（ステップＳ１０５）、再構成要求を前処理済みデータに関連付ける（ステップＳ１０６）。次に、処理回路１４１４は、再構成要求が関連付けられた前処理済みデータをサーバ２０に送信する（ステップＳ１０７）。
【０１００】
ここで、処理回路１４１４は、ユーザから再構成中断要求を受け付けたか否かを判定する（ステップＳ１０８）。再構成中断要求を受け付けた場合（ステップＳ１０８肯定）、処理回路１４１４は、受け付けた再構成中断要求をサーバ２０に送信する（ステップＳ１０９）。次に、処理回路１４１４は、再構成再開要求を受け付けたか否かを判定し（ステップＳ１１０）、再構成再開要求を受け付けない場合には待機状態となる（ステップＳ１１０否定）。一方で、再構成再開要求を受け付けた場合には（ステップＳ１１０肯定）、受け付けた再構成再開要求をサーバ２０に送信し（ステップＳ１１１）、再度ステップＳ１０８に移行する。
【０１０１】
一方で、再構成中断要求を受け付けなかった場合（ステップＳ１０８否定）、処理回路１４１４は、ユーザから、再構成要求の削除要求を受け付けたか否かを判定する（ステップＳ１１２）。再構成要求の削除要求を受け付けた場合、処理回路１４１４は、後述するステップＳ１１６に移行する。一方で、削除要求を受け付けない場合には（ステップＳ１１１２否定）、処理回路１４１４は、ユーザから、追加の再構成要求を受け付けたか否かを判定し（ステップＳ１１３）、追加の再構成要求を受け付けた場合には（ステップＳ１１３肯定）、再度ステップＳ１０５に移行する。
【０１０２】
一方で、追加の再構成要求を受け付けない場合（ステップＳ１１３否定）、処理回路１４１４は、サーバ２０から、ステップＳ１０７にて送信した再構成要求に対する再構成処理により生成された画像データを受け付けたか否かを判定し（ステップＳ１１４）、画像データを受け付けない場合には待機状態となる（ステップＳ１１４否定）。一方で、サーバ２０から画像データを受け付けた場合（ステップＳ１１４肯定）、処理回路１４１４は、受け付けた画像データを第２記憶回路１４６に保存する（ステップＳ１１５）。
【０１０３】
ステップＳ１１５の後、又は再構成要求の削除要求を受け付けた場合、処理回路１４１４は、未処理の再構成要求が残っているか否かを判定する（ステップＳ１１６）。例えば、処理回路１４１４は、ネットワークＮＷを介してサーバ２０のキューを参照することで、未処理の再構成要求が残っているか否かを判定する。ここで、未処理の再構成要求が残っている場合（ステップＳ１１６肯定）、処理回路１４１４は、再度ステップＳ１０８に移行する。一方で、未処理の再構成要求がない場合（ステップＳ１１６否定）、処理回路１４１４は、処理を終了する。
【０１０４】
上述したように、第１の実施形態によれば、スキャン機能１４１４ａは、被検体Ｐに対してスキャンを実行することによりデータを収集する。また、関連付け機能１４１４ｂは、再構成要求を前処理済みデータに関連付ける。また、通信機能１４１４ｃは、再構成要求が関連付けられた前処理済みデータを、ネットワークＮＷを介して接続され、再構成要求及び前処理済みデータに基づいて画像データを再構成する再構成回路２５を備えたサーバ２０に送信する。従って、第１の実施形態に係るＸ線ＣＴ装置１０は、再構成処理をサーバ２０の再構成回路２５が実行する場合においても、再構成処理の対象となる前処理済みデータ及び再構成要求を効率的に管理することができる。
【０１０５】
また、上述したように、第１の実施形態によれば、関連付け機能１４１４ｂは、種類が異なる複数の画像データを再構成するための複数の再構成要求を前処理済みデータに関連付ける。また、通信機能１４１４ｃは、複数の再構成要求が関連付けられた前処理済みデータをサーバ２０に送信する。従って、第１の実施形態に係るＸ線ＣＴ装置１０は、同一の前処理済みデータに対して複数の再構成要求がある場合においても、前処理済みデータ及び再構成要求を効率的に管理することができる。
【０１０６】
また、上述したように、第１の実施形態によれば、受付機能１４１４ｄは、入力インターフェース１４１１を介してユーザから再構成中断要求を受け付ける。また、再構成回路２５が画像データを再構成している間に受付機能１４１４ｄが再構成中断要求を受け付けた場合、通信機能１４１４ｃは、再構成中断要求をサーバ２０に送信する。従って、第１の実施形態に係るＸ線ＣＴ装置１０によれば、ユーザは、Ｘ線ＣＴ装置１０を操作することにより、サーバ２０における再構成処理を中断させることができる。
【０１０７】
また、上述したように、第１の実施形態によれば、受付機能１４１４ｄは、入力インターフェース１４１１を介して、ユーザから、サーバ２０に送信された再構成要求の一部又は全部を削除する削除要求を受け付ける。また、受付機能１４１４ｄが削除要求を受け付けた場合、通信機能１４１４ｃは、削除要求をサーバ２０に送信する。従って、第１の実施形態に係るＸ線ＣＴ装置１０によれば、ユーザは、Ｘ線ＣＴ装置１０を操作することにより、サーバ２０に送信された再構成要求を削除することができる。
【０１０８】
また、上述したように、第１の実施形態によれば、受付機能１４１４ｄは、入力インターフェース１４１１を介して、ユーザから、サーバ２０に送信された再構成要求と異なる追加の再構成要求を受け付ける。また、受付機能１４１４ｄが追加の再構成要求を受け付けた場合、通信機能１４１４ｃは、追加の再構成要求をサーバ２０に送信する。従って、第１の実施形態に係るＸ線ＣＴ装置１０によれば、ユーザは、Ｘ線ＣＴ装置１０を操作することにより、再構成要求を追加することができる。
【０１０９】
また、上述したように、第１の実施形態によれば、第１記憶回路１４５は、複数の再構成要求と、複数の再構成要求が関連付けられた前処理済みデータとを記憶する。或いは、第３記憶回路１４１３は、複数の再構成要求を記憶し、第１記憶回路１４５は、複数の再構成要求が関連付けられた前処理済みデータを記憶する。従って、第１の実施形態に係るＸ線ＣＴ装置１０によれば、再構成された画像データの他に、再構成処理に使用された前処理済みデータ及び再構成要求を保存しておくことができる。これにより、例えば、再構成された画像データに不具合が生じた場合の原因究明等を目的として、再構成処理を復元することが可能となる。
【０１１０】
なお、これまで、前処理済みデータを第１記憶回路１４５が記憶し、関連付け機能１４１４ｂは、第１記憶回路１４５から読み出した前処理済みデータに対して再構成要求を関連付けるものとして説明した。しかしながら、実施形態はこれに限定されるものではない。例えば、関連付け機能１４１４ｂは、第１記憶回路１４５に記憶される前の前処理済みデータに対して再構成要求を関連付けることとしてもよい。
【０１１１】
例えば、前処理回路１４２は、スキャン機能１４１４ａによるスキャンによってデータが収集されるごとに、収集されたデータを処理して前処理済みデータを順次生成する。また、関連付け機能１４１４ｂは、前処理回路１４２により前処理済みデータが生成されるごとに再構成要求を前処理済みデータに順次関連付ける。即ち、関連付け機能１４１４ｂは、スキャンと連動して、再構成要求を前処理済みデータに関連付ける。そして、通信機能１４１４ｃは、関連付け機能１４１４ｂによる関連付けが行われるごとに、再構成要求が関連付けられた前処理済みデータをサーバ２０に順次送信する。
【０１１２】
また、これまで、前処理済みデータに再構成要求を関連付けるものとして説明したが、関連付け機能１４１４ｂは、スキャンを実行することにより収集されたデータに再構成要求を関連付けることとしてもよい。この場合、通信機能１４１４ｃは、再構成要求が関連付けられたデータをサーバ２０に送信する。また、サーバ２０は、受信したデータを処理して前処理済みデータを生成し、受信したデータに関連付けられた再構成要求、及び、生成した前処理済みデータに基づいて、画像データを再構成する。
【０１１３】
（第２の実施形態）
上述した第１の実施形態では、複数の再構成要求が関連付けられたデータ又は前処理済みデータをＸ線ＣＴ装置１０からサーバ２０に送信する場合について説明した。第２の実施形態では、更に、複数の再構成要求のそれぞれに対して設定された優先度を付帯させて、データ又は前処理済みデータをＸ線ＣＴ装置１０からサーバ２０に送信する場合について説明する。
【０１１４】
第２の実施形態に係る医用診断システム１は、図１に示した医用診断システム１と同様の構成を有し、処理回路１４１４が図８Ａに示す設定機能１４１４ｆを更に実行する点で相違する。なお、図８Ａは、第２の実施形態に係るホストコンピュータ１４１の構成の一例を示すブロック図である。設定機能１４１４ｆは、設定部の一例である。以下、第１の実施形態において説明した構成と同様の構成を有する点については、図１、図２Ａ、図２Ｂ及び図３と同一の符号を付し、説明を省略する。
【０１１５】
第２の実施形態では、前処理済みデータＤｂ３１に対して、再構成要求Ｒｒ１４に対応する再構成パラメータセットＰｒ１４と、再構成要求Ｒｒ１５に対応する再構成パラメータセットＰｒ１５と、再構成要求Ｒｒ１６に対応する再構成パラメータセットＰｒ１６とが設定された場合を一例として説明する。この場合、設定機能１４１４ｆは、再構成要求Ｒｒ１４、再構成要求Ｒｒ１５及び再構成要求Ｒｒ１６のそれぞれに対して優先度を設定する。例えば、設定機能１４１４ｆは、ユーザからの入力操作に基づいて、再構成要求Ｒｒ１４に対して「優先度２」、再構成要求Ｒｒ１５に対して「優先度１」、再構成要求Ｒｒ１６に対して「優先度３」を設定する。
【０１１６】
次に、関連付け機能１４１４ｂは、再構成要求Ｒｒ１４、再構成要求Ｒｒ１５及び再構成要求Ｒｒ１６を、前処理済みデータＤｂ３１に関連付ける。例えば、関連付け機能１４１４ｂは、図８Ｂに示すように、再構成要求Ｒｒ１４に対応する再構成パラメータセットＰｒ１４と、再構成要求Ｒｒ１５に対応する再構成パラメータセットＰｒ１５と、再構成要求Ｒｒ１６に対応する再構成パラメータセットＰｒ１６とを、前処理済みデータＤｂ３１に付帯させる。更に、関連付け機能１４１４ｂは、設定機能１４１４ｆにより設定された優先度を、複数の再構成要求のそれぞれに付帯させる。例えば、関連付け機能１４１４ｂは、図８Ｂに示すように、再構成要求Ｒｒ１４に「優先度２」を付帯させ、再構成要求Ｒｒ１５に「優先度１」を付帯させ、再構成要求Ｒｒ１６に「優先度３」を付帯させる。次に、通信機能１４１４ｃは、再構成要求及びその優先度を付帯させた前処理済みデータＤｂ３１をサーバ２０に送信する。なお、図８Ｂは、第２の実施形態に係る関連付けの一例を示す図である。
【０１１７】
なお、関連付け機能１４１４ｂは、第１記憶回路１４５から読み出した前処理済みデータＤｂ３１に対して再構成要求及びその優先度を付帯させてもよいし、第１記憶回路１４５に記憶される前の前処理済みデータＤｂ３１に対して再構成要求及びその優先度を付帯させてもよい。また、関連付け機能１４１４ｂは、再構成要求及びその優先度を付帯させた前処理済みデータＤｂ３１を第１記憶回路１４５に記憶させることとしてもよい。或いは、関連付け機能１４１４ｂは、前処理済みデータと再構成要求と優先度とをそれぞれ異なる記憶回路に記憶させることとしてもよい。
【０１１８】
次に、前処理済みデータＤｂ２１を受信したサーバ２０は、各再構成要求に対する再構成処理を実行する。例えば、まず、サーバ２０における通信機能２４１は、複数の再構成要求及びその優先度が付帯された前処理済みデータＤｂ３１を受信し、複数の再構成要求を優先度に応じた順序でキューに登録する。例えば、通信機能２４１は、「優先度１」の再構成要求Ｒｒ１５、「優先度２」の再構成要求Ｒｒ１４、「優先度３」の再構成要求Ｒｒ１６の順序で、３つの再構成要求をキューに登録する。
【０１１９】
そして、再構成回路２５は、キューに積まれた再構成要求のそれぞれに対して、順に再構成処理を実行する。例えば、再構成回路２５は、まず、再構成要求Ｒｒ１５に対する再構成処理を実行して、画像データＤｃ３１を再構成する。次に、再構成回路２５は、再構成要求Ｒｒ１４に対する再構成処理を実行して、画像データＤｃ３２を再構成する。次に、再構成回路２５は、再構成要求Ｒｒ１６に対する再構成処理を実行して、画像データＤｃ３３を再構成する。また、通信機能２４１は、再構成された画像データを、ネットワークＮＷを介して、ホストコンピュータ１４１に順次送信する。また、通信機能１４１４ｃは、サーバ２０から受信した画像データを、第２記憶回路１４６に順次記憶させる。
【０１２０】
上述したように、第２の実施形態によれば、ユーザは、複数の再構成要求のそれぞれに対して優先度を設定することができる。これにより、ユーザは、各画像データを所望のタイミングで取得することができる。例えば、急患の診断等において早期に診断用の画像データを取得したい場合、ユーザは、短時間で再構成処理が完了する再構成要求Ｒｒ１５に対して、「優先度１」を設定する。また、ユーザは、高品質の画像データが得られる一方で再構成処理に時間を要する再構成要求Ｒｒ１４及び再構成要求Ｒｒ１６に対して、「優先度２」及び「優先度３」を設定する。この場合、ユーザは、画像データＤｃ３１を早期に取得して、画像データＤｃ３１に基づく診断を迅速に開始することができる。その後、ユーザは、高品質の画像データＤｃ３２及び画像データＤｃ３３を取得して、より詳細な診断を実行することができる。
【０１２１】
なお、上述した優先度の設定方法はあくまで一例であり、種々の変形が可能である。例えば、ユーザは、後に削除要求する可能性のある再構成要求の優先度が低くなるように、優先度の設定を行なってもよい。また、ユーザからの入力操作に基づいて優先度を設定するのではなく、設定機能１４１４ｆが自動で優先度を設定することとしてもよい。
【０１２２】
例えば、設定機能１４１４ｆは、複数の再構成要求を処理する順序に応じた処理時間に基づいて、優先度を設定してもよい。例えば、複数の再構成要求を処理する順序に応じて、複数の再構成要求の全てを処理するために要する総処理時間が変化し得ることから、設定機能１４１４ｆは、総処理時間が最小となるように、複数の再構成要求のそれぞれに対して優先度を設定する。
【０１２３】
例えば、再構成要求Ｒｒ１４に対する再構成処理の処理時間が「１０分」であり、再構成要求Ｒｒ１５に対する再構成処理の処理時間が「２０分」であり、再構成要求Ｒｒ１６に対する再構成処理の処理時間が「３０分」であり、再構成回路２５が２つの再構成処理を並行して実行可能であるとする。ここで、再構成要求Ｒｒ１４、再構成要求Ｒｒ１５、再構成要求Ｒｒ１６の順に再構成要求を処理する場合、再構成回路２５は、まずは再構成要求Ｒｒ１４に対する再構成処理と再構成要求Ｒｒ１５に対する再構成処理とを並行して実行し、再構成要求Ｒｒ１４に対する再構成処理が終了した後に、再構成要求Ｒｒ１６に対する再構成処理を実行することとなる。即ち、再構成要求Ｒｒ１４、再構成要求Ｒｒ１５、再構成要求Ｒｒ１６の順に再構成要求を処理する場合の総処理時間は「４０分」となる。
【０１２４】
一方で、再構成要求Ｒｒ１６、再構成要求Ｒｒ１５、再構成要求Ｒｒ１４の順に再構成要求を処理する場合、再構成回路２５は、まずは再構成要求Ｒｒ１６に対する再構成処理と再構成要求Ｒｒ１５に対する再構成処理とを並行して実行し、再構成要求Ｒｒ１５に対する再構成処理が終了した後に、再構成要求Ｒｒ１４に対する再構成処理を実行することとなる。即ち、再構成要求Ｒｒ１６、再構成要求Ｒｒ１５、再構成要求Ｒｒ１４の順に再構成要求を処理する場合の総処理時間は「３０分」となる。従って、設定機能１４１４ｆは、再構成要求Ｒｒ１４に対して「優先度３」、再構成要求Ｒｒ１５に対して「優先度２」、再構成要求Ｒｒ１６に対して「優先度１」を設定することで、総処理時間を最小化することができる。
【０１２５】
なお、設定機能１４１４ｆは、各再構成要求に対する再構成処理の処理時間を、例えば、再構成パラメータセット及び再構成回路２５の処理能力に応じて推定することができる。或いは、設定機能１４１４ｆは、過去に実行された再構成処理の処理時間を計測し、計測結果を第３記憶回路１４１３に記憶させておくこととしてもよい。この場合、設定機能１４１４ｆは、各再構成要求に対する再構成処理の処理時間を、過去に実行された類似の再構成処理の処理時間の計測結果に基づいて推定することができる。
【０１２６】
また、通信機能１４１４ｃがサーバ２０に前処理済みデータを送信した後において、ユーザは、種々の要求を追加することができる。例えば、ユーザは、再構成中断要求や、再構成再開要求、複数の再構成要求の一部又は全部を削除する削除要求、追加の再構成要求といった種々の要求を追加することができる。かかる要求があった場合、受付機能１４１４ｄは、入力インターフェース１４１１を介してユーザから要求を受け付け、通信機能１４１４ｃは、受付機能１４１４ｄが受け付けた要求を、前処理済みデータに関連付けてサーバ２０に送信する。或いは、サーバ２０における受付機能２４２が、再構成中断要求や、再構成再開要求、複数の再構成要求の一部又は全部を削除する削除要求、追加の再構成要求といった種々の要求を受け付けることとしても構わない。
【０１２７】
更に、ユーザは、優先度の変更要求を追加することもできる。例えば、通信機能１４１４ｃがサーバ２０に前処理済みデータＤｂ３１を送信した後において、ユーザは、入力インターフェース１４１１を介して、再構成要求Ｒｒ１４、再構成要求Ｒｒ１５及び再構成要求Ｒｒ１６のそれぞれに対して設定された優先度の変更要求を入力する。また、受付機能１４１４ｄは、ユーザから入力された変更要求を受け付ける。
【０１２８】
次に、通信機能１４１４ｃは、受付機能１４１４ｄが受け付けた優先度の変更要求を、再構成要求Ｒｒ１４、再構成要求Ｒｒ１５及び再構成要求Ｒｒ１６と前処理済みデータＤｂ３１とに関連付けて、サーバ２０に送信する。例えば、通信機能１４１４ｃは、変更後の優先度を再構成要求Ｒｒ１４、再構成要求Ｒｒ１５及び再構成要求Ｒｒ１６のそれぞれに付帯させて、サーバ２０に送信する。
【０１２９】
次に、通信機能２４１は、Ｘ線ＣＴ装置１０から送信された優先度の変更要求を受信し、変更要求に従って、キューに登録された再構成要求の順序を変更する。そして、再構成回路２５は、変更後の順序で、キューに積まれた再構成要求を順次読み出し、再構成要求Ｒｒ１４に対する再構成処理、再構成要求Ｒｒ１５に対する再構成処理、及び、再構成要求Ｒｒ１６に対する再構成処理をそれぞれ実行する。
【０１３０】
（第３の実施形態）
上述した第１〜第２の実施形態では、再構成要求をデータ又は前処理済みデータに関連付けてサーバ２０に送信する場合について説明した。これに対し、第３の実施形態では、後処理要求をデータ、前処理済みデータ又は画像データに関連付けてサーバ２０に送信する場合について説明する。
【０１３１】
第３の実施形態に係る医用診断システム１は、図１に示した医用診断システム１と同様の構成を有し、サーバ２０が図９に示す後処理回路２６を更に実行する点で相違する。なお、図９は、第３の実施形態に係るサーバ２０の構成の一例を示すブロック図である。また、後処理回路２６は、後処理部の一例である。以下、第１〜第２の実施形態において説明した構成と同様の構成を有する点については、図１、図２Ａ、図２Ｂ、図３及び図８Ａと同一の符号を付し、説明を省略する。
【０１３２】
第３の実施形態に係る医用診断システム１は、Ｘ線ＣＴ装置１０に含まれる再構成回路１４３及び後処理回路１４４と、サーバ２０に含まれる再構成回路２５及び後処理回路２６とを備える。この場合、再構成処理は、再構成回路１４３により行われてもよいし、再構成回路２５により行われてもよい。同様に、後処理は、後処理回路１４４により行われてもよいし、後処理回路２６により行われてもよい。なお、第３の実施形態においては、前処理は前処理回路１４２が実行するものとして説明する。
【０１３３】
まず、再構成処理が再構成回路１４３により行われ、後処理が後処理回路１４４により行われる場合について説明する。即ち、再構成処理及び後処理の双方がＸ線ＣＴ装置１０において行われる場合について説明する。
【０１３４】
例えば、スキャン機能１４１４ａは、被検体Ｐに対してスキャンを実行することにより、データＤａ４１を収集する。また、前処理回路１４２は、ホストコンピュータ１４１から取得した前処理要求に基づいて、データＤａ４１を処理して前処理済みデータＤｂ４１を生成し、第１記憶回路１４５に保存する。また、再構成回路１４３は、ホストコンピュータ１４１から取得した再構成要求に基づいて、第１記憶回路１４５から読み出した処理済みデータＤｂ４１を再構成処理して画像データＤｃ４１を生成し、第２記憶回路１４６に保存する。また、後処理回路１４４は、ホストコンピュータ１４１から取得した後処理要求に基づいて、第２記憶回路１４６から読み出した画像データＤｃ４１を処理して後処理済み画像データＤｄ４１を生成し、第２記憶回路１４６に保存する。
【０１３５】
ここで、図１０を用いて、後処理回路１４４による後処理についてより詳細に説明する。図１０は、第３の実施形態に係る後処理の一例を示す図である。例えば、ホストコンピュータ１４１は、まず、後処理の対象となる画像データＤｃ４１を選択する操作をユーザから受け付けて、画像データＤｃ４１の保存先である第２記憶回路１４６を取得し、画像データＤｃ４１を読み込む。
【０１３６】
次に、ホストコンピュータ１４１は、後処理要求に対応する後処理パラメータセットを作成する。例えば、ホストコンピュータ１４１は、入力インターフェース１４１１を介してユーザからの入力操作を受け付けることにより、後処理パラメータセットを作成する。或いは、ホストコンピュータ１４１は、スキャン条件や再構成条件、患者情報等に基づいて、後処理パラメータセットを自動で作成してもよい。なお、後処理パラメータセットについては後述する。
【０１３７】
次に、ホストコンピュータ１４１は、後処理済み画像データＤｄ４１の保存先を取得する。例えば、ホストコンピュータ１４１は、入力インターフェース１４１１を介してユーザからの入力操作を受け付けることにより、後処理済み画像データＤｄ４１の保存先を取得する。或いは、ホストコンピュータ１４１は、空き容量等に基づいて、後処理済み画像データＤｄ４１の保存先を自動で取得してもよい。なお、以下では、後処理済み画像データＤｄ４１の保存先として、第２記憶回路１４６を取得したものとして説明する。
【０１３８】
次に、ホストコンピュータ１４１は、後処理回路１４４に対して、作成した後処理要求を送信するとともに、画像データＤｃ４１及び後処理済み画像データＤｄ４１の保存先を通知する。次に、後処理回路１４４は、ホストコンピュータ１４１からの通知に基づいて、画像データＤｃ４１を第２記憶回路１４６から読み込む。次に、後処理回路１４４は、ホストコンピュータ１４１から送信された後処理要求及び第２記憶回路１４６から読み込んだ画像データＤｃ４１に基づいて後処理を実行し、後処理済み画像データＤｄ４１を生成する。そして、再構成回路１４３は、ホストコンピュータ１４１からの通知に基づいて、生成した後処理済み画像データＤｄ４１を第２記憶回路１４６に保存して、処理を終了する。
【０１３９】
なお、後処理の種類の具体例としては、心筋血流予備量比（ＦＦＲ：Fractional  Flow  Reserve）解析やコンピュータ支援検出（Computer-Aided  Detection：ＣＡＤ）等の解析処理、再構成画像データから診断用の２次元画像データを生成する診断用画像生成処理等が挙げられる。後処理パラメータセットには、例えば、ＦＦＲ解析やＣＡＤ、診断用画像生成処理といった後処理の種類と、後処理条件とが含まれる。
【０１４０】
例えば、後処理としてＦＦＲ解析を実行する場合、後処理回路１４４は、画像データＤｃ４１から抽出した血管形状データを用いた流体解析を実行し、血管の芯線に沿った各位置のＦＦＲを算出する。そして、後処理回路１４４は、後処理済み画像データＤｄ４１として、被検体Ｐの血管におけるＦＦＲの分布を示した画像データを生成する。一例を挙げると、後処理回路１４４は、画像データＤｃ４１に対してカラーテーブルに従ってＦＦＲを反映させることにより、後処理済み画像データＤｄ４１として、ＦＦＲの分布を示したカラー画像を生成する。この場合、後処理パラメータセットには、後処理の種類「ＦＦＲ解析」を示す情報と、流体解析に使用される解析条件等の後処理条件が含まれる。
【０１４１】
また、例えば、後処理としてＣＡＤを実行する場合、後処理回路１４４は、画像データＤｃ４１に対するパターンマッチングを行なうことで病変の位置を検出したり、検出した病変の体積や面積、長さ等を測定したりする。そして、後処理回路１４４は、後処理済み画像データＤｄ４１として、病変の検出結果を示した画像データを生成する。一例を挙げると、後処理回路１４４は、後処理済み画像データＤｄ４１として、検出した病変の位置にマーカを付した画像データを生成する。この場合、後処理パラメータセットには、後処理の種類「ＣＡＤ」を示す情報と、パターンマッチングに使用したカーネル等の後処理条件が含まれる。
【０１４２】
また、例えば、後処理として診断用画像生成処理を実行する場合、後処理回路１４４は、画像データＤｃ４１に対するレンダリング処理を行なって、診断用の２次元画像データを生成する。ここで、レンダリング処理の例としては、断面再構成法（ＭＰＲ：Multi  Planar  Reconstruction）により、３次元の画像データＤｃ４１から任意断面の２次元画像データを再構成する処理が挙げられる。また、レンダリング処理の他の例としては、ボリュームレンダリング（Volume  Rendering）処理や、最大値投影法（ＭＩＰ：Maximum  Intensity  Projection）により、３次元の画像データＤｃ４１から、３次元の情報を反映した２次元画像データを生成する処理がある。後処理回路１４４は、これらの診断用画像生成処理により、後処理済み画像データＤｄ４１として、診断用の２次元画像データを生成する。この場合、後処理パラメータセットには、後処理の種類「診断用画像生成処理」を示す情報と、レンダリング方法等の後処理条件が含まれる。
【０１４３】
再構成処理の場合と同様に、後処理の対象となる画像データＤｃ４１及び後処理要求は、コンソール装置１４０内に分散している。例えば、後処理要求はホストコンピュータ１４１において管理され、画像データＤｃ１１は第２記憶回路１４６において管理されている。従って、後処理を実行する上では、後処理の対象となる画像データＤｃ４１及び後処理要求をそれぞれ収集する必要があり、処理フローが複雑なものとなる。特に、後処理をサーバ２０の後処理回路２６が実行する場合等、処理の一部が別装置で実行される場合には、処理フローの複雑化が顕著である。また、同一のデータに対して後処理要求が複数ある場合もある。例えば、同一の前処理済みデータに対して、ＦＦＲ解析と診断用画像生成処理とが要求される場合がある。そして、コンソール装置１４０内に分散している画像データＤｃ４１及び複数の後処理要求に基づく処理を、コンソール装置１４０と異なる別装置において実行するとなれば、処理フローは更に複雑化する。
【０１４４】
そこで、Ｘ線ＣＴ装置１０は、後処理要求を画像データに関連付け、後処理要求が関連付けられた画像データをサーバ２０に送信することで、後処理の対象となる画像データ及び後処理要求を効率的に管理し、後処理が別装置で実行される場合や後処理要求が複数ある場合においても効率的に処理を進めることを可能とする。
【０１４５】
一例を挙げると、ユーザは、同一の画像データＤｃ４１から複数の後処理済み画像データを取得するため、後処理要求Ｒａ１１に対応する後処理パラメータセットＰａ１１と、後処理要求Ｒａ１２に対応する後処理パラメータセットＰａ１２とを設定する。この場合、関連付け機能１４１４ｂは、後処理要求Ｒａ１１及び後処理要求Ｒａ１２を、画像データＤｃ４１に関連付ける。例えば、関連付け機能１４１４ｂは、図１１Ａに示すように、後処理要求Ｒａ１１に対応する後処理パラメータセットＰａ１１と、後処理要求Ｒａ１２に対応する後処理パラメータセットＰａ１２とを、画像データＤｃ４１に付帯させる。また、通信機能１４１４ｃは、後処理要求Ｒａ１１及び後処理要求Ｒａ１２が関連付けられた画像データＤｃ４１を、後処理回路２６を備えたサーバ２０に送信する。なお、図１１Ａは、第１の実施形態に係る関連付けの一例を示す図である。
【０１４６】
なお、設定機能１４１４ｆは、更に、後処理要求Ｒａ１１及び後処理要求Ｒａ１２のそれぞれに対して優先度を設定してもよい。例えば、設定機能１４１４ｆは、図１１Ａに示すように、後処理要求Ｒａ１１に対して「優先度２」を設定し、後処理要求Ｒａ１２に対して「優先度１」を設定する。一例を挙げると、設定機能１４１４ｆは、ユーザからの入力操作に基づいて優先度を設定する。別の例を挙げると、設定機能１４１４ｆは、後処理要求Ｒａ１１及び後処理要求Ｒａ１２を処理する順序に応じた処理時間に基づいて優先度を設定する。そして、通信機能１４１４ｃは、設定機能１４１４ｆにより設定された優先度を後処理要求Ｒａ１１及び後処理要求Ｒａ１２のそれぞれに付帯させて、サーバ２０に送信する。
【０１４７】
ここで、図１１Ｂを用いて、後処理回路２６による後処理についてより詳細に説明する。図１１Ｂは、第３の実施形態に係る後処理の一例を示す図である。なお、図１１Ｂにおいては、後処理の対象となる画像データの一例として、画像データＤｃ５１について説明する。また、画像データＤｃ５１の再構成に使用された前処理済みデータを、前処理済みデータＤｂ５１と記載する。また、被検体Ｐに対してスキャンを実行することで収集されたデータであって、前処理済みデータＤｂ５１の生成に使用されたデータをデータＤａ５１と記載する。
【０１４８】
例えば、まず、スキャン機能１４１４ａは、被検体Ｐに対してスキャンを実行することによりデータＤａ５１を収集する。また、前処理回路１４２は、データＤａ５１を処理して前処理済みデータＤｂ５１を生成し、第１記憶回路１４５に保存する。次に、再構成回路２５は、第１記憶回路１４５から前処理済みデータＤｂ５１を読み込み、再構成処理を実行して画像データＤｃ５１を生成し、第２記憶回路１４６に保存する。
【０１４９】
次に、制御機能１４１４ｅは、第２記憶回路１４６から画像データＤｃ５１を読み込み、各後処理要求に対して後処理パラメータセットを作成する。例えば、制御機能１４１４ｅは、まず、第２記憶回路１４６に保存された複数の画像データの中から画像データＤｃ５１を選択する操作を、入力インターフェース１４１１を介して受け付ける。また、制御機能１４１４ｅは、選択された画像データＤｃ５１を示す画面をディスプレイ１４１２に表示させる。次に、制御機能１４１４ｅは、後処理パラメータセットＰａ１１の入力操作及び後処理パラメータセットＰａ１２の入力操作を受け付けることで、後処理要求Ｒａ１１及び後処理要求Ｒａ１２のそれぞれに対して後処理パラメータセットを作成する。
【０１５０】
次に、関連付け機能１４１４ｂは、画像データＤｃ５１に後処理要求Ｒａ１１及び後処理要求Ｒａ１２を関連付ける。次に、通信機能１４１４ｃは、後処理要求Ｒａ１１及び後処理要求Ｒａ１２が関連付けられた画像データＤｃ５１をサーバ２０に送信する。ここで、後処理要求Ｒａ１１及び後処理要求Ｒａ１２のそれぞれに対して優先度が設定されている場合、通信機能１４１４ｃは、優先度を後処理要求Ｒａ１１及び後処理要求Ｒａ１２のそれぞれに付帯させてサーバ２０に送信する。
【０１５１】
なお、関連付け機能１４１４ｂは、第２記憶回路１４６から読み出した画像データＤｃ５１に対して後処理要求を関連付けてもよいし、第２記憶回路１４６に記憶される前の画像データＤｃ５１に対して後処理要求を関連付けてもよい。また、関連付け機能１４１４ｂは、後処理要求と、後処理要求が関連付けられた画像データＤｃ５１とを第２記憶回路１４６に記憶させることとしてもよい。或いは、関連付け機能１４１４ｂは、後処理要求を第３記憶回路１４１３に記憶させ、後処理要求が関連付けられた画像データＤｃ５１を第２記憶回路１４６に記憶させることとしてもよい。
【０１５２】
次に、画像データＤｃ５１を受信したサーバ２０は、各後処理要求に対する後処理を実行する。例えば、サーバ２０は、画像データＤｃ５１に関連付けられた複数の後処理要求をキューに積み、順に後処理を実行する。
【０１５３】
例えば、サーバ２０における後処理回路２６は、まず、「優先度１」が設定されている後処理要求Ｒａ１２に対する後処理を実行して、後処理済み画像データＤｄ５１を生成する。次に、通信機能２４１は、生成された後処理済み画像データＤｄ５１を、ネットワークＮＷを介して、ホストコンピュータ１４１に送信する。また、通信機能１４１４ｃは、サーバ２０から後処理済み画像データＤｄ５１を受信して、第２記憶回路１４６に記憶させる。これにより、制御機能１４１４ｅは、後処理済み画像データＤｄ５１に基づく表示を行なうことが可能となる。
【０１５４】
次に、サーバ２０における後処理回路２６は、「優先度２」が設定されている後処理要求Ｒａ１１に対する後処理を実行して、後処理済み画像データＤｄ５２を生成する。次に、通信機能２４１は、生成された後処理済み画像データＤｄ５２を、ネットワークＮＷを介して、ホストコンピュータ１４１に送信する。また、通信機能１４１４ｃは、サーバ２０から後処理済み画像データＤｄ５２を受信して、第２記憶回路１４６に記憶させる。これにより、制御機能１４１４ｅは、後処理済み画像データＤｄ５２に基づく表示を行なうことが可能となる。
【０１５５】
なお、通信機能１４１４ｃがサーバ２０に画像データＤｃ５１を送信した後において、ユーザは、種々の要求を追加することができる。例えば、ユーザは、後処理中断要求や、後処理再開要求、複数の後処理要求の一部又は全部を削除する削除要求、追加の後処理要求といった種々の要求を追加することができる。また、複数の後処理要求のそれぞれに対して優先度が設定されている場合、ユーザは、優先度の変更要求を追加することもできる。かかる要求があった場合、受付機能１４１４ｄは、入力インターフェース１４１１を介してユーザから要求を受け付け、通信機能１４１４ｃは、受付機能１４１４ｄが受け付けた要求を、画像データＤｃ５１に関連付けてサーバ２０に送信する。或いは、サーバ２０における受付機能２４２が、後処理中断要求や、後処理再開要求、複数の後処理要求の一部又は全部を削除する削除要求、追加の後処理要求、優先度の変更要求といった種々の要求を受け付けることとしても構わない。
【０１５６】
図１１Ａ及び図１１Ｂに示したように、Ｘ線ＣＴ装置１０は、複数の後処理要求を画像データに関連付け、複数の後処理要求が関連付けられた画像データをサーバ２０に送信する。これにより、Ｘ線ＣＴ装置１０は、同一の画像データに対して複数の後処理処理がある場合においても、サーバ２０側で画像データ及び後処理要求をそれぞれ収集することなく、後処理回路２６による後処理を効率的に実行することを可能とする。即ち、Ｘ線ＣＴ装置１０は、処理対象となる画像データ、及び、後処理要求を効率的に管理することができる。
【０１５７】
なお、画像データに対して後処理要求を関連付ける場合について説明したが、関連付け機能１４１４ｂは、前処理済みデータに対して後処理要求を関連付けることとしてもよい。例えば、関連付け機能１４１４ｂは、前処理済みデータに対して再構成要求とともに後処理要求を関連付け、通信機能１４１４ｃは、再構成要求及び後処理要求が関連付けられた前処理済みデータをサーバ２０に送信する。この場合、サーバ２０における再構成回路２５は、前処理済みデータに関連付けられた再構成要求に対する再構成処理を実行して画像データを生成する。また、後処理回路２６は、前処理済みデータに関連付けられた後処理要求に対する後処理を、再構成回路２５が再構成した画像データに対して実行して、後処理済み画像データを生成する。
【０１５８】
一例を挙げると、ユーザは、前処理済みデータＤｂ６１を選択して、再構成要求Ｒｒ１７に対応する再構成パラメータセットＰｒ１７と、後処理要求Ｒａ１３に対応する後処理パラメータセットＰａ１３と、再構成要求Ｒｒ１８に対応する再構成パラメータセットＰｒ１８とを設定する。なお、後処理要求Ｒａ１３は、再構成要求Ｒｒ１７及び前処理済みデータＤｂ６１に基づいて再構成される画像データＤｃ６１に対する後処理要求である。この場合、関連付け機能１４１４ｂは、再構成要求Ｒｒ１７、後処理要求Ｒａ１３及び再構成要求Ｒｒ１８を、前処理済みデータＤｂ６１に関連付ける。
【０１５９】
例えば、関連付け機能１４１４ｂは、図１２に示すように、再構成要求Ｒｒ１７に対応する再構成パラメータセットＰｒ１７と、後処理要求Ｒａ１３に対応する後処理パラメータセットＰａ１３と、再構成要求Ｒｒ１８に対応する再構成パラメータセットＰｒ１８とを、前処理済みデータＤｂ６１に付帯させる。また、通信機能１４１４ｃは、再構成要求Ｒｒ１７、後処理要求Ｒａ１３及び再構成要求Ｒｒ１８が関連付けられた前処理済みデータＤｂ６１を、再構成回路２５及び後処理回路２６を備えたサーバ２０に送信する。なお、図１２は、第３の実施形態に係る関連付けの一例を示す図である。
【０１６０】
なお、設定機能１４１４ｆは、更に、再構成要求Ｒｒ１７、後処理要求Ｒａ１３及び再構成要求Ｒｒ１８のそれぞれに対して優先度を設定してもよい。例えば、設定機能１４１４ｆは、図１２に示すように、再構成要求Ｒｒ１７に対して「優先度１」を設定し、後処理要求Ｒａ１３に対して「優先度２」を設定し、再構成要求Ｒｒ１８に対して「優先度３」を設定する。一例を挙げると、設定機能１４１４ｆは、ユーザからの入力操作に基づいて優先度を設定する。別の例を挙げると、設定機能１４１４ｆは、再構成要求Ｒｒ１７、後処理要求Ｒａ１３及び再構成要求Ｒｒ１８を処理する順序に応じた処理時間に基づいて優先度を設定する。なお、後処理要求Ｒａ１３は、再構成要求Ｒｒ１７及び前処理済みデータＤｂ６１に基づいて再構成される画像データＤｃ６１に対する後処理要求であるため、再構成要求Ｒｒ１７よりも低い優先度が設定される。そして、通信機能１４１４ｃは、設定機能１４１４ｆにより設定された優先度を再構成要求Ｒｒ１７、後処理要求Ｒａ１３及び再構成要求Ｒｒ１８のそれぞれに付帯させて、サーバ２０に送信する。
【０１６１】
また、関連付け機能１４１４ｂは、第１記憶回路１４５から読み出した前処理済みデータＤｂ６１に対して再構成要求及び後処理要求を関連付けてもよいし、第１記憶回路１４５に記憶される前の前処理済みデータＤｂ６１に対して再構成要求及び後処理要求を関連付けてもよい。また、関連付け機能１４１４ｂは、再構成要求及び後処理要求と、再構成要求及び後処理要求が関連付けられた前処理済みデータＤｂ６１とを第１記憶回路１４５に記憶させることとしてもよい。或いは、関連付け機能１４１４ｂは、再構成要求及び後処理要求を第３記憶回路１４１３に記憶させ、再構成要求及び後処理要求が関連付けられた前処理済みデータＤｂ６１を第１記憶回路１４５に記憶させることとしてもよい。
【０１６２】
次に、画像データＤｃ５１を受信したサーバ２０は、各再構成要求に対する再構成処理、及び、各後処理要求に対する後処理を実行する。例えば、サーバ２０は、前処理済みデータＤｂ６１に関連付けられた再構成要求及び後処理要求をキューに積み、再構成処理及び後処理を順に実行する。
【０１６３】
例えば、サーバ２０における再構成回路２５は、まず、「優先度１」が設定されている再構成要求Ｒｒ１７と前処理済みデータＤｂ６１とに基づく再構成処理を実行して、画像データＤｃ６１を生成する。次に、通信機能２４１は、生成された画像データＤｃ６１を、ネットワークＮＷを介して、ホストコンピュータ１４１に送信する。また、通信機能１４１４ｃは、サーバ２０から画像データＤｃ６１を受信して、第２記憶回路１４６に記憶させる。
【０１６４】
次に、サーバ２０における後処理回路２６は、「優先度２」が設定されている後処理要求Ｒａ１３と画像データＤｃ６１とに基づく後処理を実行して、後処理済み画像データＤｄ６１を生成する。次に、通信機能２４１は、生成された後処理済み画像データＤｄ６１を、ネットワークＮＷを介して、ホストコンピュータ１４１に送信する。また、通信機能１４１４ｃは、サーバ２０から後処理済み画像データＤｄ６１を受信して、第２記憶回路１４６に記憶させる。
【０１６５】
次に、サーバ２０における後処理回路２６は、「優先度３」が設定されている再構成要求Ｒｒ１８と前処理済みデータＤｂ６１とに基づく再構成処理を実行して、画像データＤｃ６２を生成する。次に、通信機能２４１は、生成された画像データＤｃ６２を、ネットワークＮＷを介して、ホストコンピュータ１４１に送信する。また、通信機能１４１４ｃは、サーバ２０から画像データＤｃ６２を受信して、第２記憶回路１４６に記憶させ、処理を終了する。
【０１６６】
なお、通信機能１４１４ｃがサーバ２０に前処理済みデータＤｂ６１を送信した後において、ユーザは、種々の要求を追加することができる。例えば、ユーザは、再構成中断要求や、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求といった種々の要求を追加することができる。また、再構成要求及び後処理要求のそれぞれに対して優先度が設定されている場合、ユーザは、優先度の変更要求を追加することもできる。かかる要求があった場合、受付機能１４１４ｄは、入力インターフェース１４１１を介してユーザから要求を受け付け、通信機能１４１４ｃは、受付機能１４１４ｄが受け付けた要求を、前処理済みデータＤｂ６１に関連付けてサーバ２０に送信する。或いは、サーバ２０における受付機能２４２が、再構成中断要求や、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求、優先度の変更要求といった種々の要求を受け付けることとしても構わない。
【０１６７】
別の例を挙げると、関連付け機能１４１４ｂは、前処理済みデータに対して後処理要求を関連付け、通信機能１４１４ｃは、後処理要求が関連付けられた前処理済みデータをサーバ２０に送信する。この場合、サーバ２０における再構成回路２５は、前処理済みデータに関連付けられた後処理要求に基づいて再構成要求を推定し、推定した再構成要求に対する再構成処理を実行して画像データを生成する。また、後処理回路２６は、前処理済みデータに関連付けられた後処理要求に対する後処理を、再構成回路２５が再構成した画像データに対して実行して、後処理済み画像データを生成する。
【０１６８】
一例を挙げると、ユーザは、前処理済みデータＤｂ７１を選択して、後処理要求Ｒａ１４に対応する後処理パラメータセットＰａ１４を設定する。この場合、関連付け機能１４１４ｂは、後処理要求Ｒａ１４を前処理済みデータＤｂ７１に関連付ける。例えば、関連付け機能１４１４ｂは、図１３Ａに示すように、後処理要求Ｒａ１４に対応する後処理パラメータセットＰａ１４を前処理済みデータＤｂ７１に付帯させる。また、通信機能１４１４ｃは、後処理要求Ｒａ１４が関連付けられた前処理済みデータＤｂ７１を、再構成回路２５及び後処理回路２６を備えたサーバ２０に送信する。なお、図１３Ａは、第３の実施形態に係る関連付けの一例を示す図である。
【０１６９】
ここで、図１３Ｂを用いて、再構成回路２５による再構成処理及び後処理回路２６による後処理についてより詳細に説明する。図１３Ｂは、第３の実施形態に係る再構成処理及び後処理の一例を示す図である。なお、図１３Ｂにおいては、再構成処理の対象となる前処理済みデータの一例として、前処理済みデータＤｂ７１について説明する。また、被検体Ｐに対してスキャンを実行することで収集されたデータであって、前処理済みデータＤｂ７１の生成に使用されたデータをデータＤａ７１と記載する。また、前処理済みデータＤｂ７１に基づいて再構成される画像データを画像データＤｃ７１と記載し、画像データＤｃ７１を処理して生成される後処理済み画像データを後処理済み画像データＤｄ７１と記載する。
【０１７０】
例えば、まず、スキャン機能１４１４ａは、被検体Ｐに対してスキャンを実行することによりデータＤａ７１を収集する。また、前処理回路１４２は、データＤａ７１を処理して前処理済みデータＤｂ７１を生成し、第１記憶回路１４５に保存する。次に、制御機能１４１４ｅは、第１記憶回路１４５から前処理済みデータＤｂ７１を読み込み、後処理要求に対する後処理パラメータセットを作成する。例えば、制御機能１４１４ｅは、まず、第１記憶回路１４７に保存された複数の前処理済みデータの中から前処理済みデータＤｂ７１を選択する操作を、入力インターフェース１４１１を介して受け付ける。また、制御機能１４１４ｅは、選択された前処理済みデータＤｂ７１を示す画面をディスプレイ１４１２に表示させる。次に、制御機能１４１４ｅは、後処理パラメータセットＰａ１４の入力操作を受け付けることで、後処理要求Ｒａ１４に対する後処理パラメータセットＰａ１４を作成する。次に、関連付け機能１４１４ｂは、前処理済みデータＤｂ７１に後処理要求Ｒａ１４を関連付ける。次に、通信機能１４１４ｃは、後処理要求Ｒａ１４が関連付けられた前処理済みデータＤｂ７１をサーバ２０に送信する。
【０１７１】
なお、関連付け機能１４１４ｂは、第１記憶回路１４５から読み出した前処理済みデータＤｂ７１に対して後処理要求Ｒａ１４を関連付けてもよいし、第１記憶回路１４５に記憶される前の前処理済みデータＤｂ７１対して後処理要求Ｒａ１４を関連付けてもよい。また、関連付け機能１４１４ｂは後処理要求Ｒａ１４と、後処理要求Ｒａ１４が関連付けられた前処理済みデータＤｂ７１とを第１記憶回路１４５に記憶させることとしてもよい。或いは、関連付け機能１４１４ｂは、後処理要求Ｒａ１４を第３記憶回路１４１３に記憶させ、後処理要求Ｒａ１４が関連付けられた前処理済みデータＤｂ７１を第１記憶回路１４５に記憶させることとしてもよい。
【０１７２】
次に、サーバ２０における再構成回路２５は、前処理済みデータＤｂ７１に関連付けられた後処理要求Ｒａ１４に基づいて、再構成要求を推定する。具体的には、再構成回路２５は、後処理要求Ｒａ１４に対する後処理を実行するために適した画像データが再構成されるように、再構成要求を推定する。
【０１７３】
例えば、後処理としてＦＦＲ解析を実行する場合、ＦＦＲ解析の対象となる画像データはノイズが少ないことが好ましく、一方で、高い解像度は要求されない。従って、後処理要求Ｒａ１４に対する後処理がＦＦＲ解析である場合、再構成回路２５は、低解像度且つ低ノイズの画像データが再構成されるように再構成要求を推定する。以下では、後処理要求Ｒａ１４に基づいて再構成回路２５が推定した再構成要求を、再構成要求Ｒｒ１９と記載する。
【０１７４】
そして、サーバ２０は、再構成回路２５が推定した再構成要求Ｒｒ１９、及び、前処理済みデータＤｂ７１に関連付けられた後処理要求Ｒａ１４をキューに積み、再構成処理及び後処理を順に実行する。例えば、再構成回路２５は、まず、推定した再構成要求Ｒｒ１９と前処理済みデータＤｂ７１とに基づく再構成処理を実行して、画像データＤｃ７１を生成する。次に、通信機能２４１は、生成された画像データＤｃ７１を、ネットワークＮＷを介して、ホストコンピュータ１４１に送信する。また、通信機能１４１４ｃは、サーバ２０から画像データＤｃ７１を受信して、第２記憶回路１４６に記憶させる。次に、後処理回路２６は、前処理済みデータＤｂ７１に関連付けられた後処理要求Ｒａ１４と、再構成回路２５が再構成した画像データＤｃ７１とに基づく後処理を実行して、後処理済み画像データＤｄ７１を生成する。次に、通信機能２４１は、生成された後処理済み画像データＤｄ７１を、ネットワークＮＷを介して、ホストコンピュータ１４１に送信する。また、通信機能１４１４ｃは、サーバ２０から後処理済み画像データＤｄ７１を受信して、第２記憶回路１４６に記憶させ、処理を終了する。
【０１７５】
なお、通信機能１４１４ｃがサーバ２０に前処理済みデータＤｂ７１を送信した後において、ユーザは、種々の要求を追加することができる。例えば、ユーザは、再構成中断要求や、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求といった種々の要求を追加することができる。また、複数の後処理要求のそれぞれに対して優先度が設定され、又は再構成要求及び後処理要求のそれぞれに対して優先度が設定されている場合、ユーザは、優先度の変更要求を追加することもできる。かかる要求があった場合、受付機能１４１４ｄは、入力インターフェース１４１１を介してユーザから要求を受け付け、通信機能１４１４ｃは、受付機能１４１４ｄが受け付けた要求を、前処理済みデータＤｂ７１に関連付けてサーバ２０に送信する。或いは、サーバ２０における受付機能２４２が、再構成中断要求や、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求、優先度の変更要求といった種々の要求を受け付けることとしても構わない。
【０１７６】
上述したように、第３の実施形態によれば、関連付け機能１４１４ｂは、後処理要求を、前処理済みデータ、又は、前処理済みデータに基づいて再構成された画像データに関連付ける。また、通信機能１４１４ｃは、後処理要求が関連付けられた前処理済みデータ又は画像データをサーバ２０に送信する。従って、第３の実施形態に係るＸ線ＣＴ装置１０は、後処理をサーバ２０の後処理回路２６が実行する場合においても、後処理の対象となるデータ及び後処理要求を効率的に管理することができる。
【０１７７】
また、上述したように、第３の実施形態によれば、関連付け機能１４１４ｂは、後処理要求に加えて、再構成要求を少なくとも１つ、前処理済みデータ又は画像データに関連付ける。また、通信機能１４１４ｃは、後処理要求及び再構成要求が関連付けられた前処理済みデータ又は画像データをサーバ２０に送信する。従って、第３の実施形態に係るＸ線ＣＴ装置１０は、再構成処理及び後処理がサーバ２０において実行される場合においても、処理の対象となるデータ及び処理の要求を効率的に管理することができる。
【０１７８】
なお、前処理済みデータ又は画像データに対する後処理要求の関連付けを関連付け機能１４１４ｂが実行する場合について説明したが、実施形態はこれに限定されるものではない。例えば、処理回路２４が図示しない関連付け機能２４４を更に有し、関連付け機能２４４が前処理済みデータ又は画像データに対する後処理要求の関連付けを実行することとしてもよい。
【０１７９】
一例を挙げると、まず、関連付け機能１４１４ｂは、前処理済みデータに対して再構成要求を関連付け、通信機能１４１４ｃは、再構成要求が関連付けられた前処理済みデータをサーバ２０に送信する。次に、再構成回路２５は、前処理済みデータに関連付けられた再構成要求に基づいて画像データを再構成する。次に、関連付け機能２４４は、再構成された画像データに対して後処理要求を関連付ける。そして、後処理回路２６は、再構成された画像データと画像データに関連付けられた後処理要求とに基づいて後処理を実行し、後処理済み画像データを生成する。
【０１８０】
以下、図１４Ａを用いて、再構成回路２５による再構成処理及び後処理回路２６による後処理の一例について説明する。図１４Ａは、第３の実施形態に係る再構成処理及び後処理の一例を示す図である。なお、図１４Ａにおいては、再構成処理の対象となる前処理済みデータの一例として、前処理済みデータＤｂ８１について説明する。また、被検体Ｐに対してスキャンを実行することで収集されたデータであって、前処理済みデータＤｂ８１の生成に使用されたデータをデータＤａ８１と記載する。また、前処理済みデータＤｂ８１に基づいて再構成される画像データを画像データＤｃ８１と記載し、画像データＤｃ８１を処理して生成される後処理済み画像データを後処理済み画像データＤｄ８１と記載する。
【０１８１】
例えば、まず、スキャン機能１４１４ａは、被検体Ｐに対してスキャンを実行することによりデータＤａ８１を収集する。また、前処理回路１４２は、データＤａ８１を処理して前処理済みデータＤｂ８１を生成し、第１記憶回路１４５に保存する。次に、制御機能１４１４ｅは、第１記憶回路１４５から前処理済みデータＤｂ８１を読み込み、再構成要求Ｒｒ２０に対する再構成パラメータセットＰｒ２０を作成する。
【０１８２】
次に、関連付け機能１４１４ｂは、前処理済みデータＤｂ８１に再構成要求Ｒｒ２０を関連付ける。一例を挙げると、関連付け機能１４１４ｂは、図１４Ｂに示すように、再構成要求Ｒｒ２０に対する再構成パラメータセットＰｒ２０を前処理済みデータＤｂ８１に付帯させる。次に、通信機能１４１４ｃは、再構成要求Ｒｒ２０が関連付けられた前処理済みデータＤｂ８１を、再構成回路２５及び後処理回路２６を備えたサーバ２０に送信する。なお、図１４Ｂは、第３の実施形態に係る関連付けの一例を示す図である。
【０１８３】
なお、関連付け機能１４１４ｂは、第１記憶回路１４５から読み出した前処理済みデータＤｂ８１に対して再構成要求Ｒｒ２０を関連付けてもよいし、第１記憶回路１４５に記憶される前の前処理済みデータＤｂ８１対して再構成要求Ｒｒ２０を関連付けてもよい。また、関連付け機能１４１４ｂは、再構成要求Ｒｒ２０と、再構成要求Ｒｒ２０が関連付けられた前処理済みデータＤｂ８１とを第１記憶回路１４５に記憶させることとしてもよい。或いは、関連付け機能１４１４ｂは、再構成要求Ｒｒ２０を第３記憶回路１４１３に記憶させ、再構成要求Ｒｒ２０が関連付けられた前処理済みデータＤｂ８１を第１記憶回路１４５に記憶させることとしてもよい。
【０１８４】
次に、サーバ２０における再構成回路２５は、再構成要求Ｒｒ２０に対する再構成処理を実行して画像データＤｃ８１を生成し、第４記憶回路２３に記憶させる。次に、制御機能２４３は、第４記憶回路２３から画像データＤｃ８１を読み込み、後処理要求Ｒａ１５に対する後処理パラメータセットＰａ１５を作成する。
【０１８５】
次に、関連付け機能２４４は、画像データＤｃ８１に対して、後処理要求Ｒａ１５を更に関連付ける。一例を挙げると、関連付け機能２４４は、図１４Ｃに示すように、再構成要求Ｒｒ２０に対する再構成パラメータセットＰｒ２０に加えて、後処理要求Ｒａ１５に対する後処理パラメータセットＰａ１５を画像データＤｃ８１に付帯させる。なお、関連付け機能２４４は、第４記憶回路２３から読み出した画像データＤｃ８１に対して再構成要求Ｒｒ２０及び後処理要求Ｒａ１５を関連付けてもよいし、第４記憶回路２３に記憶される前の画像データＤｃ８１に対して再構成要求Ｒｒ２０及び後処理要求Ｒａ１５を関連付けてもよい。
【０１８６】
次に、通信機能１４１４ｃは、再構成要求Ｒｒ２０及び後処理要求Ｒａ１５が関連付けられた画像データＤｃ８１を、ネットワークＮＷを介して、ホストコンピュータ１４１に送信する。また、通信機能１４１４ｃは、サーバ２０から画像データＤｃ８１を受信して、第２記憶回路１４６に記憶させる。なお、図１４Ｃは、第３の実施形態に係る関連付けの一例を示す図である。
【０１８７】
次に、サーバ２０における後処理回路２６は、後処理要求Ｒａ１５と画像データＤｃ８１とに基づく後処理を実行して、後処理済み画像データＤｄ８１を生成する。次に、通信機能２４１は、生成された後処理済み画像データＤｄ８１を、ネットワークＮＷを介して、ホストコンピュータ１４１に送信する。また、通信機能１４１４ｃは、サーバ２０から後処理済み画像データＤｄ８１を受信して、第２記憶回路１４６に記憶させ、処理を終了する。
【０１８８】
なお、通信機能１４１４ｃがサーバ２０に前処理済みデータＤｂ８１を送信した後において、ユーザは、種々の要求を追加することができる。例えば、ユーザは、再構成中断要求や、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求といった種々の要求を追加することができる。また、複数の後処理要求のそれぞれに対して優先度が設定され、又は再構成要求及び後処理要求のそれぞれに対して優先度が設定されている場合、ユーザは、優先度の変更要求を追加することもできる。かかる要求があった場合、受付機能１４１４ｄは、入力インターフェース１４１１を介してユーザから要求を受け付け、通信機能１４１４ｃは、受付機能１４１４ｄが受け付けた要求を、前処理済みデータＤｂ８１に関連付けてサーバ２０に送信する。或いは、サーバ２０における受付機能２４２が、再構成中断要求や、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求、優先度の変更要求といった種々の要求を受け付けることとしても構わない。
【０１８９】
また、これまで、前処理済みデータ又は画像データに後処理要求を関連付けるものとして説明したが、関連付け機能１４１４ｂは、スキャンを実行することにより収集されたデータに後処理要求を関連付けることとしてもよい。この場合、通信機能１４１４ｃは、後処理要求が関連付けられたデータをサーバ２０に送信する。また、サーバ２０は、受信したデータを処理して前処理済みデータを生成し、生成した前処理済みデータに基づいて画像データを再構成し、受信したデータに関連付けられた後処理要求、及び、生成した画像データに基づいて、後処理済み画像データを再構成する。
【０１９０】
（第４の実施形態）
上述した第１〜第３の実施形態では、再構成要求及び後処理要求の少なくとも一方を、被検体Ｐに対してスキャンを実行することにより収集されたデータ、前処理済みデータ又は画像データに関連付けてサーバ２０に送信する場合について説明した。これに対し、第４の実施形態では、前処理要求を、被検体Ｐに対してスキャンを実行することにより収集されたデータ、前処理済みデータ、又は画像データに関連付けてサーバ２０に送信する場合について説明する。
【０１９１】
第４の実施形態に係る医用診断システム１は、図１に示した医用診断システム１と同様の構成を有し、サーバ２０が図１５に示す前処理回路２７を更に実行する点で相違する。なお、図１５は、第４の実施形態に係るサーバ２０の構成の一例を示すブロック図である。また、前処理回路２７は、前処理部の一例である。以下、第１〜第３の実施形態において説明した構成と同様の構成を有する点については、図１、図２Ａ、図２Ｂ、図３、図８Ａ及び図９と同一の符号を付し、説明を省略する。
【０１９２】
第４の実施形態に係る医用診断システム１は、Ｘ線ＣＴ装置１０に含まれる前処理回路１４２、再構成回路１４３及び後処理回路１４４と、サーバ２０に含まれる前処理回路２７、再構成回路２５及び後処理回路２６とを備える。この場合、前処理は、前処理回路１４２により行われてもよいし、前処理回路２７により行われてもよい。同様に、再構成処理は、再構成回路１４３により行われてもよいし、再構成回路２５により行われてもよい。同様に、後処理は、後処理回路１４４により行われてもよいし、後処理回路２６により行われてもよい。
【０１９３】
以下では一例として、前処理、再構成処理及び後処理がいずれもサーバ２０において行われる場合について説明する。即ち、前処理が前処理回路２７により行われ、再構成処理が再構成回路２５により行われ、後処理が後処理回路２６により行われる場合について説明する。
【０１９４】
一例を挙げると、ユーザは、前処理要求Ｒｂ１１に対応する前処理パラメータセットＰｂ１１と、前処理要求Ｒｂ１２に対応する前処理パラメータセットＰｂ１２と、再構成要求Ｒｒ２１に対応する再構成パラメータセットＰｒ２１と、再構成要求Ｒｒ２２に対応する再構成パラメータセットＰｒ２２と、後処理要求Ｒａ１６に対応する後処理パラメータセットＰａ１６とを設定する。この場合、関連付け機能１４１４ｂは、前処理要求Ｒｂ１１、前処理要求Ｒｂ１２、再構成要求Ｒｒ２１、再構成要求Ｒｒ２２及び後処理要求Ｒａ１６を、被検体Ｐに対してスキャンを実行することにより収集されたデータＤａ９１に関連付ける。
【０１９５】
なお、再構成要求Ｒｒ２１は、前処理要求Ｒｂ１１及びデータＤａ９１に基づいて生成される前処理済みデータＤｂ９１に対する再構成要求である。また、再構成要求Ｒｒ２２は、前処理要求Ｒｂ１２及びデータＤａ９１に基づいて生成される前処理済みデータＤｂ９２に対する再構成要求である。また、後処理要求Ｒａ１６は、再構成要求Ｒｒ２１及び前処理済みデータＤｂ９１に基づいて再構成される画像データＤｃ９１に対する後処理要求である。
【０１９６】
例えば、関連付け機能１４１４ｂは、図１６Ａに示すように、前処理要求Ｒｂ１１に対応する前処理パラメータセットＰｂ１１と、前処理要求Ｒｂ１２に対応する前処理パラメータセットＰｂ１２と、再構成要求Ｒｒ２１に対応する再構成パラメータセットＰｒ２１と、再構成要求Ｒｒ２２に対応する再構成パラメータセットＰｒ２２と、後処理要求Ｒａ１６に対応する後処理パラメータセットＰａ１６とを、データＤａ９１に付帯させる。また、通信機能１４１４ｃは、前処理要求Ｒｂ１１、前処理要求Ｒｂ１２、再構成要求Ｒｒ２１、再構成要求Ｒｒ２２及び後処理要求Ｒａ１６が関連付けられたデータＤａ９１を、前処理回路２７、再構成回路２５及び後処理回路２６を備えたサーバ２０に送信する。なお、図１６Ａは、第４の実施形態に係る関連付けの一例を示す図である。
【０１９７】
なお、設定機能１４１４ｆは、更に、前処理要求Ｒｂ１１、前処理要求Ｒｂ１２、再構成要求Ｒｒ２１、再構成要求Ｒｒ２２及び後処理要求Ｒａ１６のそれぞれに対して優先度を設定してもよい。例えば、設定機能１４１４ｆは、図１６Ａに示すように、前処理要求Ｒｂ１１に対して「優先度１」を設定し、前処理要求Ｒｂ１２に対して「優先度４」を設定し、再構成要求Ｒｒ２１に対して「優先度２」を設定し、再構成要求Ｒｒ２２に対して「優先度５」を設定し、後処理要求Ｒａ１６に対して「優先度３」を設定する。そして、通信機能１４１４ｃは、設定機能１４１４ｆにより設定された優先度を、前処理要求Ｒｂ１１、前処理要求Ｒｂ１２、再構成要求Ｒｒ２１、再構成要求Ｒｒ２２及び後処理要求Ｒａ１６のそれぞれに付帯させて、サーバ２０に送信する。
【０１９８】
一例を挙げると、設定機能１４１４ｆは、ユーザからの入力操作に基づいて優先度を設定する。別の例を挙げると、設定機能１４１４ｆは、前処理要求Ｒｂ１１、前処理要求Ｒｂ１２、再構成要求Ｒｒ２１、再構成要求Ｒｒ２２及び後処理要求Ｒａ１６を処理する順序に応じた処理時間に基づいて優先度を設定する。
【０１９９】
なお、再構成要求Ｒｒ２１は、前処理要求Ｒｂ１１及びデータＤａ９１に基づいて生成される前処理済みデータＤｂ９１に対する再構成要求であるため、前処理要求Ｒｂ１１よりも低い優先度が設定される。同様に、再構成要求Ｒｒ２２は、前処理要求Ｒｂ１２及びデータＤａ９１に基づいて生成される前処理済みデータＤｂ９２に対する再構成要求であるため、前処理要求Ｒｂ１２よりも低い優先度が設定される。同様に、後処理要求Ｒａ１６は、再構成要求Ｒｒ２１及び前処理済みデータＤｂ９１に基づいて再構成される画像データＤｃ９１に対する後処理要求であるため、再構成要求Ｒｒ２１よりも低い優先度が設定される。
【０２００】
ここで、図１６Ｂを用いて、前処理回路２７による前処理、再構成回路２５による再構成処理、及び、後処理回路２６による後処理についてより詳細に説明する。図１６Ｂは、第４の実施形態に係る前処理、再構成処理及び後処理の一例を示す図である。なお、図１６Ｂにおいては、被検体Ｐに対してスキャンを実行することで収集されたデータの例として、データＤａ９１について説明する。
【０２０１】
例えば、まず、スキャン機能１４１４ａは、被検体Ｐに対してスキャンを実行することによりデータＤａ９１を収集し、第１記憶回路１４５に保存する。次に、制御機能１４１４ｅは、第１記憶回路１４５からデータＤａ９１を読み込み、各前処理要求に対して前処理パラメータセットを作成する。例えば、制御機能１４１４ｅは、まず、第１記憶回路１４５に保存された複数のデータの中からデータＤａ９１を選択する操作を、入力インターフェース１４１１を介して受け付ける。また、制御機能１４１４ｅは、選択されたデータＤａ９１を示す画面をディスプレイ１４１２に表示させる。次に、制御機能１４１４ｅは、前処理パラメータセットＰｂ１１の入力操作及び前処理パラメータセットＰｂ１２の入力操作を受け付けることで、前処理要求Ｒｂ１１及び前処理要求Ｒｂ１２のそれぞれに対して前処理パラメータセットを作成する。同様に、制御機能１４１４ｅは、各再構成要求に対する再構成パラメータセットを作成し、各後処理要求に対する後処理パラメータセットを作成する。なお、前処理パラメータセット、再構成パラメータセット及び後処理パラメータセットを作成する順序は任意であり、並行して作成される場合であってもよい。
【０２０２】
次に、関連付け機能１４１４ｂは、データＤａ９１に前処理要求Ｒｂ１１、前処理要求Ｒｂ１２、再構成要求Ｒｒ２１、再構成要求Ｒｒ２２及び後処理要求Ｒａ１６を関連付ける。次に、通信機能１４１４ｃは、前処理要求Ｒｂ１１、前処理要求Ｒｂ１２、再構成要求Ｒｒ２１、再構成要求Ｒｒ２２及び後処理要求Ｒａ１６が関連付けられたデータＤａ９１をサーバ２０に送信する。ここで、優先度が設定されている場合、通信機能１４１４ｃは、優先度を前処理要求Ｒｂ１１、前処理要求Ｒｂ１２、再構成要求Ｒｒ２１、再構成要求Ｒｒ２２及び後処理要求Ｒａ１６のそれぞれに付帯させてサーバ２０に送信する。
【０２０３】
なお、第１記憶回路１４５から読み出したデータＤａ９１に対して前処理要求、再構成要求及び後処理要求を関連付ける場合について説明したが、関連付け機能１４１４ｂは、第１記憶回路１４５に記憶される前のデータＤａ９１に対して前処理要求、再構成要求及び後処理要求を関連付けてもよい。即ち、関連付け機能１４１４ｂは、スキャンと連動して関連付けの処理を行ってもよい。また、関連付け機能１４１４ｂは、前処理要求、再構成要求及び後処理要求と、前処理要求、再構成要求及び後処理要求が関連付けられたデータＤａ９１とを第１記憶回路１４５に記憶させることとしてもよい。或いは、関連付け機能１４１４ｂは、前処理要求、再構成要求及び後処理要求を第３記憶回路１４１３に記憶させ、前処理要求、再構成要求及び後処理要求が関連付けられたデータＤａ９１を第１記憶回路１４５に記憶させることとしてもよい。
【０２０４】
次に、データＤａ９１を受信したサーバ２０は、各前処理要求に対する前処理、各再構成要求に対する再構成処理、及び、各後処理要求に対する後処理を実行する。例えば、サーバ２０は、データＤａ９１に関連付けられた前処理要求、再構成要求及び後処理要求をキューに積み、各処理を順に実行する。
【０２０５】
例えば、まず、前処理回路２７は、「優先度１」が設定されている前処理要求Ｒｂ１１とデータＤａ９１とに基づく前処理を実行して、前処理済みデータＤｂ９１を生成する。次に、通信機能２４１は、生成された前処理済みデータＤｂ９１を、ネットワークＮＷを介して、ホストコンピュータ１４１に送信する。また、通信機能１４１４ｃは、サーバ２０から前処理済みデータＤｂ９１を受信して、第１記憶回路１４５に記憶させる。
【０２０６】
次に、再構成回路２５は、「優先度２」が設定されている再構成要求Ｒｒ２１と前処理済みデータＤｂ９１とに基づく再構成処理を実行して、画像データＤｃ９１を生成する。次に、通信機能２４１は、生成された画像データＤｃ９１を、ネットワークＮＷを介して、ホストコンピュータ１４１に送信する。また、通信機能１４１４ｃは、サーバ２０から画像データＤｃ９１を受信して、第２記憶回路１４６に記憶させる。
【０２０７】
次に、後処理回路２６は、「優先度３」が設定されている後処理要求Ｒａ１６と画像データＤｃ９１とに基づく後処理を実行して、後処理済み画像データＤｄ９１を生成する。次に、通信機能２４１は、生成された後処理済み画像データＤｄ９１を、ネットワークＮＷを介して、ホストコンピュータ１４１に送信する。また、通信機能１４１４ｃは、サーバ２０から後処理済み画像データＤｄ９１を受信して、第２記憶回路１４６に記憶させる。
【０２０８】
次に、前処理回路２７は、「優先度４」が設定されている前処理要求Ｒｂ１２とデータＤａ９１とに基づく前処理を実行して、前処理済みデータＤｂ９２を生成する。次に、通信機能２４１は、生成された前処理済みデータＤｂ９２を、ネットワークＮＷを介して、ホストコンピュータ１４１に送信する。また、通信機能１４１４ｃは、サーバ２０から前処理済みデータＤｂ９２を受信して、第１記憶回路１４５に記憶させる。
【０２０９】
次に、再構成回路２５は、「優先度５」が設定されている再構成要求Ｒｒ２２と前処理済みデータＤｂ９２とに基づく再構成処理を実行して、画像データＤｃ９２を生成する。次に、通信機能２４１は、生成された画像データＤｃ９２を、ネットワークＮＷを介して、ホストコンピュータ１４１に送信する。また、通信機能１４１４ｃは、サーバ２０から画像データＤｃ９２を受信して、第２記憶回路１４６に記憶させ、処理を終了する。
【０２１０】
なお、通信機能１４１４ｃがサーバ２０にデータＤａ９１を送信した後において、ユーザは、種々の要求を追加することができる。例えば、ユーザは、前処理中断要求や、前処理再開要求、複数の前処理要求の一部又は全部を削除する削除要求、追加の前処理要求、再構成中断要求、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求といった種々の要求を追加することができる。また、前処理要求、再構成要求及び後処理要求のそれぞれに対して優先度が設定されている場合、ユーザは、優先度の変更要求を追加することもできる。かかる要求があった場合、受付機能１４１４ｄは、入力インターフェース１４１１を介してユーザから要求を受け付け、通信機能１４１４ｃは、受付機能１４１４ｄが受け付けた要求を、データＤａ９１に関連付けてサーバ２０に送信する。或いは、サーバ２０における受付機能２４２が、前処理中断要求や、前処理再開要求、複数の前処理要求の一部又は全部を削除する削除要求、追加の前処理要求、再構成中断要求、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求、優先度の変更要求といった種々の要求を受け付けることとしても構わない。
【０２１１】
なお、前処理要求、再構成要求及び後処理要求をデータに関連付ける場合について説明したが、実施形態はこれに限定されるものではない。例えば、関連付け機能１４１４ｂは、少なくとも１つの前処理要求と、少なくとも１つの再構成要求とをデータに関連付けることとしてもよい。例えば、関連付け機能１４１４ｂは、前処理要求Ｒｂ１３と再構成要求Ｒｒ２３とをデータＤａ１０１に関連付けてサーバ２０に送信する。この場合、前処理回路２７は、前処理要求Ｒｂ１３とデータＤａ１０１とに基づく前処理を実行して前処理済みデータＤｂ１０１を生成する。次に、再構成回路２５は、再構成要求Ｒｒ２３と前処理済みデータＤｂ１０１とに基づく再構成処理を実行して画像データＤｃ１０１を生成する。次に、通信機能２４１は、ネットワークＮＷを介して、画像データＤｃ１０１をＸ線ＣＴ装置１０に送信する。そして、通信機能１４１４ｃは、画像データＤｃ１０１を受信して、第２記憶回路１４６に記憶させる。ここで、更に、後処理回路１４４は、画像データＤｃ１０１に対する後処理を実行することとしても構わない。
【０２１２】
また、例えば、関連付け機能１４１４ｂは、少なくとも１つの前処理要求を、データに関連付けることとしてもよい。例えば、関連付け機能１４１４ｂは、前処理要求Ｒｂ１４と前処理要求Ｒｂ１５とをデータＤａ１１１に関連付けてサーバ２０に送信する。この場合、前処理回路２７は、前処理要求Ｒｂ１４とデータＤａ１１１とに基づく前処理を実行して前処理済みデータＤｂ１１１を生成する。また、前処理回路２７は、前処理要求Ｒｂ１５とデータＤａ１１１とに基づく前処理を実行して前処理済みデータＤｂ１１２を生成する。次に、通信機能２４１は、ネットワークＮＷを介して、前処理済みデータＤｂ１１１及び前処理済みデータＤｂ１１２をＸ線ＣＴ装置１０に送信する。そして、通信機能１４１４ｃは、前処理済みデータＤｂ１１１及び前処理済みデータＤｂ１１２を受信して、第１記憶回路１４５に記憶させる。ここで、更に、再構成回路１４３は、前処理済みデータＤｂ１１１又は前処理済みデータＤｂ１１２に対する再構成処理を実行することとしても構わない。また、更に、後処理回路１４４は、前処理済みデータＤｂ１１１に基づいて再構成された画像データ、又は、前処理済みデータＤｂ１１２に基づいて再構成された画像データに対する後処理を実行することとしても構わない。
【０２１３】
（第５の実施形態）
上述した第１〜第４の実施形態では、被検体Ｐに対してスキャンを実行することによって収集された１つのデータ、１つの前処理済みデータ、又は、１つの画像データに対して、前処理要求、再構成要求及び後処理要求の少なくとも１つを関連付ける場合について説明した。これに対し、第５の実施形態では、被検体Ｐに対してスキャンを実行することによって収集された複数のデータ、複数の前処理済みデータ、又は、複数の画像データに対して、前処理要求、再構成要求及び後処理要求の少なくとも１つを関連付ける場合について説明する。
【０２１４】
第５の実施形態に係る医用診断システム１は、図１に示した医用診断システム１と同様の構成を有し、スキャン機能１４１４ａ及び関連付け機能１４１４ｂによる処理の一部が相違する。以下、第１〜第３の実施形態において説明した構成と同様の構成を有する点については、図１、図２Ａ、図２Ｂ、図３、図８Ａ、図９及び図１５と同一の符号を付し、説明を省略する。
【０２１５】
被検体Ｐに対してスキャンを実行することによって複数のデータが収集される場合の例としては、スキャン機能１４１４ａによるスキャンがデュアルエナジー（Dual-Energy：ＤＥ）又はマルチエナジー（Multi-Energy：ＭＥ）で実行される場合が挙げられる。以下、スキャン機能１４１４ａによるスキャンがデュアルエナジーで実行される場合を一例として説明する。
【０２１６】
例えば、まず、スキャン機能１４１４ａは、複数のビューについてＸ線スキャンを実行することにより、第１のＸ線エネルギーに対応する第１データＤａ１２１と、第２のＸ線エネルギーに対応する第２データＤａ１２２とを収集する。一例を挙げると、スキャン機能１４１４ａは、第１のＸ線エネルギーを用いて被検体Ｐの周囲を連続的に１回転分スキャンする第１スキャンと、第２のＸ線エネルギーを用いて被検体Ｐの周囲を連続的に１回転分スキャンする第２スキャンとを実行することにより、第１データＤａ１２１及び第２データＤａ１２２を収集する。
【０２１７】
別の例を挙げると、スキャン機能１４１４ａは、Ｘ線管１１１に供給する管電圧を１又は複数のビューごとに変化させることにより、１又は複数のビューごとに第１のＸ線エネルギーと第２のＸ線エネルギーとの切り替えを行ない、第１データＤａ１２１及び第２データＤａ１２２を収集する。即ち、スキャン機能１４１４ａは、ｋＶスイッチングによるデュアルエナジー収集を実行して、第１データＤａ１２１及び第２データＤａ１２２を収集する。
【０２１８】
別の例を挙げると、Ｘ線ＣＴ装置１０は、Ｘ線管１１１として、第１のＸ線管１１１ａと第２のＸ線管１１１ｂとを備える。この場合、スキャン機能１４１４ａは、第１のＸ線管１１１ａから第１のＸ線エネルギーのＸ線を発生させ、第２のＸ線管１１１ｂから第２のＸ線エネルギーのＸ線を発生させることで、第１データＤａ１２１及び第２データＤａ１２２を収集する。即ち、スキャン機能１４１４ａは、デュアルソースによるデュアルエナジー収集を実行して、第１データＤａ１２１及び第２データＤａ１２２を収集する。
【０２１９】
別の例を挙げると、Ｘ線ＣＴ装置１０は、Ｘ線検出器１１２として、複数の層から構成され、Ｘ線管１１１から照射されたＸ線を分光可能な積層型検出器を備える。この場合、ＤＡＳ１１８は、Ｘ線検出器１１２における第１の層から出力されたＸ線の信号に基づいて第１データＤａ１２１を生成し、第１の層と異なる他の層から出力されたＸ線の信号に基づいて第２データＤａ１２２を生成する。即ち、スキャン機能１４１４ａは、積層型検出器方式のデュアルエナジー収集を実行して、第１データＤａ１２１及び第２データＤａ１２２を収集する。
【０２２０】
別の例を挙げると、Ｘ線ＣＴ装置１０は、ウェッジ１１６として、Ｘ線管１１１から照射されたＸ線の一部についてＸ線のエネルギーを変化させ、或いは、Ｘ線管１１１から照射されたＸ線をエネルギーの異なる複数のＸ線に分割するフィルタを備える。この場合、スキャン機能１４１４ａは、ウェッジ１１６によりエネルギーが調整されたＸ線のエネルギーを第１のＸ線エネルギーとし、ウェッジ１１６によりエネルギーが調整されていないＸ線のエネルギーを第２のＸ線エネルギーとしてスキャンを実行して、第１データＤａ１２１及び第２データＤａ１２２を収集する。或いは、スキャン機能１４１４ａは、ウェッジ１１６により第１のＸ線エネルギーに調整されたＸ線と、ウェッジ１１６により第２のＸ線エネルギーに調整されたＸ線とを用いてスキャンを実行して、第１データＤａ１２１及び第２データＤａ１２２を収集する。即ち、スキャン機能１４１４ａは、スプリット方式のデュアルエナジー収集を実行して、第１データＤａ１２１及び第２データＤａ１２２を収集する。
【０２２１】
次に、関連付け機能１４１４ｂは、複数の画像を再構成するための再構成要求を、少なくとも１つ、第１データＤａ１２１及び第２データＤａ１２２に関連付ける。例えば、関連付け機能１４１４ｂは、光電効果に対応する画像データと、コンプトン散乱に対応する画像データとを再構成するための再構成要求を、第１データＤａ１２１及び第２データＤａ１２２に関連付ける。
【０２２２】
なお、前処理回路１４２は、第１データＤａ１２１に前処理を施すことにより前処理済み第１データＤｂ１２１を生成し、第２データＤａ１２２に前処理を施すことにより前処理済み第２データＤｂ１２２を生成することができる。例えば、前処理回路１４２は、第１データＤａ１２１に前処理を施すことにより、第１データＤａ１２１において光電効果に対応する成分とコンプトン散乱に対応する成分とをそれぞれ特定した前処理済み第１データＤｂ１２１を生成する。同様に、前処理回路１４２は、第２データＤａ１２２に前処理を施すことにより、第２データＤａ１２２において光電効果に対応する成分とコンプトン散乱に対応する成分とをそれぞれ特定した前処理済み第２データＤｂ１２２を生成する。この場合、関連付け機能１４１４ｂは、複数の画像を再構成するための再構成要求を、少なくとも１つ、前処理済み第１データＤｂ１２１及び前処理済み第２データＤｂ１２２に関連付ける。
【０２２３】
例えば、関連付け機能１４１４ｂは、図１７に示すように、再構成要求Ｒｒ２４に対応する再構成パラメータセットＰｒ２４と、後処理要求Ｒａ１７に対応する後処理パラメータセットＰａ１７とを、前処理済み第１データＤｂ１２１及び前処理済み第２データＤｂ１２２に付帯させる。また、通信機能１４１４ｃは、再構成要求Ｒｒ２４及び後処理要求Ｒａ１７が関連付けられた前処理済み第１データＤｂ１２１及び前処理済み第２データＤｂ１２２をサーバ２０に送信する。なお、図１７は、第５の実施形態に係る関連付けの一例を示す図である。
【０２２４】
なお、設定機能１４１４ｆは、更に、再構成要求Ｒｒ２４及び後処理要求Ｒａ１７のそれぞれに対して優先度を設定してもよい。例えば、設定機能１４１４ｆは、図１７に示すように、再構成要求Ｒｒ２４に対して「優先度１」を設定し、後処理要求Ｒａ１７に対して「優先度２」を設定する。そして、通信機能１４１４ｃは、設定機能１４１４ｆにより設定された優先度を再構成要求Ｒｒ２４及び後処理要求Ｒａ１７のそれぞれに付帯させて、サーバ２０に送信する。
【０２２５】
なお、関連付け機能１４１４ｂは、第１記憶回路１４５から読み出した前処理済み第１データＤｂ１２１及び前処理済み第２データＤｂ１２２に対して再構成要求Ｒｒ２４及び後処理要求Ｒａ１７を関連付けてもよいし、第１記憶回路１４５に記憶される前の前処理済み第１データＤｂ１２１及び前処理済み第２データＤｂ１２２に対して再構成要求Ｒｒ２４及び後処理要求Ｒａ１７を関連付けてもよい。また、関連付け機能１４１４ｂは、再構成要求Ｒｒ２４及び後処理要求Ｒａ１７と、再構成要求Ｒｒ２４及び後処理要求Ｒａ１７が関連付けられた前処理済み第１データＤｂ１２１及び前処理済み第２データＤｂ１２２とを第１記憶回路１４５に記憶させることとしてもよい。或いは、関連付け機能１４１４ｂは、再構成要求及び後処理要求を第３記憶回路１４１３に記憶させ、再構成要求Ｒｒ２４及び後処理要求Ｒａ１７が関連付けられた前処理済み第１データＤｂ１２１及び前処理済み第２データＤｂ１２２を第１記憶回路１４５に記憶させることとしてもよい。
【０２２６】
次に、前処理済み第１データＤｂ１２１及び前処理済み第２データＤｂ１２２を受信したサーバ２０は、再構成要求Ｒｒ２４に対する再構成処理、及び、後処理要求Ｒａ１７に対する後処理をそれぞれ実行する。例えば、サーバ２０は、再構成要求Ｒｒ２４及び後処理要求Ｒａ１７をキューに積み、順に実行する。
【０２２７】
例えば、サーバ２０における再構成回路２５は、まず、「優先度１」が設定されている再構成要求Ｒｒ２４と、前処理済み第１データＤｂ１２１及び前処理済み第２データＤｂ１２２とに基づく再構成処理を実行して、複数の画像データを再構成する。例えば、再構成回路２５は、再構成要求Ｒｒ２４と、前処理済み第１データＤｂ１２１において光電効果に対応する成分と、前処理済み第２データＤｂ１２２において光電効果に対応する成分とに基づいて、第１画像データＤｃ１２１を生成する。また、例えば、再構成回路２５は、再構成要求Ｒｒ２４と、前処理済み第１データＤｂ１２１においてコンプトン散乱に対応する成分と、前処理済み第２データＤｂ１２２においてコンプトン散乱に対応する成分とに基づいて、第２画像データＤｃ１２２を生成する。なお、第１画像データＤｃ１２１を生成するための再構成処理と第２画像データＤｃ１２２を生成するための再構成処理とを実行する順序は任意であり、並行して行なうこととしてもよい。
【０２２８】
次に、通信機能２４１は、生成された第１画像データＤｃ１２１及び第２画像データＤｃ１２２を、ネットワークＮＷを介して、ホストコンピュータ１４１に送信する。また、通信機能１４１４ｃは、サーバ２０から第１画像データＤｃ１２１及び第２画像データＤｃ１２２を受信して、第２記憶回路１４６に記憶させる。次に、サーバ２０における後処理回路２６は、「優先度２」が設定されている後処理要求Ｒａ１７と、第１画像データＤｃ１２１と、第２画像データＤｃ１２２とに基づく後処理を実行して、後処理済み画像データＤｄ１２１を生成する。
【０２２９】
例えば、後処理回路２６は、後処理要求Ｒａ１７に対する後処理として、物質弁別画像を生成する処理を実行する。一例を挙げると、後処理回路２６は、第１画像データＤｃ１２１及び第２画像データＤｃ１２２に基づいて、被検体Ｐに含まれる物質の種類、原子番号、密度等を弁別する処理（以下、弁別処理と記載する）を実行する。そして、後処理回路２６は、後処理済み画像データＤｄ１２１として、弁別処理の結果を示した物質弁別画像を生成する。例えば、後処理回路２６は、後処理済み画像データＤｄ１２１として、弁別した物質の分布を第１画像データＤｃ１２１又は第２画像データＤｃ１２２上に示した物質弁別画像を生成する。
【０２３０】
また、例えば、後処理回路２６は、後処理要求Ｒａ１７に対する後処理として、仮想単色Ｘ線画像を生成する処理を実行する。一例を挙げると、後処理回路２６は、まずは２つの基準物質を設定し、基準物質の存在率を示した基準物質画像を、第１画像データＤｃ１２１及び第２画像データＤｃ１２２のそれぞれから生成する。そして、後処理回路２６は、２つの基準物質画像を用いて重み付け計算処理を行うことにより、後処理済み画像データＤｄ１２１として、仮想単色Ｘ線画像を生成する。
【０２３１】
なお、後処理の例として、物質弁別画像を生成する処理及び仮想単色Ｘ線画像を生成する処理について説明したが、実施形態はこれに限定されるものではない。例えば、後処理回路２６は、後処理要求Ｒａ１７に対する後処理として、密度画像を生成する処理や、実効原子番号画像を生成する処理といった種々の処理を実行することができる。
【０２３２】
次に、通信機能２４１は、生成された後処理済み画像データＤｄ１２１を、ネットワークＮＷを介して、ホストコンピュータ１４１に送信する。また、通信機能１４１４ｃは、サーバ２０から後処理済み画像データＤｄ１２１を受信して、第２記憶回路１４６に記憶させる。
【０２３３】
なお、図１７においては、前処理済み第１データＤｂ１２１及び前処理済み第２データＤｂ１２２に対して、再構成要求Ｒｒ２４及び後処理要求Ｒａ１７を関連付ける場合について説明した。しかしながら、実施形態はこれに限定されるものではない。例えば、関連付け機能１４１４ｂは、前処理済み第１データＤｂ１２１に対して再構成要求Ｒｒ２４及び後処理要求Ｒａ１７を関連付けるとともに、前処理済み第２データＤｂ１２２に対して再構成要求Ｒｒ２４及び後処理要求Ｒａ１７を関連付けることとしてもよい。この場合、通信機能１４１４ｃは、再構成要求Ｒｒ２４及び後処理要求Ｒａ１７が関連付けられた前処理済み第１データＤｂ１２１と、再構成要求Ｒｒ２４及び後処理要求Ｒａ１７が関連付けられた前処理済み第２データＤｂ１２２とをそれぞれサーバ２０に送信する。
【０２３４】
また、図１７においては、前処理済み第１データＤｂ１２１及び前処理済み第２データＤｂ１２２に対して再構成要求を関連付けるものとして説明したが、関連付け機能１４１４ｂは、第１データＤａ１２１及び第２データＤａ１２２に対して再構成要求を関連付けてもよい。例えば、関連付け機能１４１４ｂは、第１データＤａ１２１及び第２データＤａ１２２に対して、前処理要求Ｒｂ１５、再構成要求Ｒｒ２４及び後処理要求Ｒａ１７を関連付ける。この場合、通信機能１４１４ｃは、例えば、前処理要求Ｒｂ１５、再構成要求Ｒｒ２４及び後処理要求Ｒａ１７が関連付けられた第１データＤａ１２１及び第２データＤａ１２２をそれぞれサーバ２０に送信する。また、前処理回路２７は、前処理要求Ｒｂ１５、第１データＤａ１２１及び第２データＤａ１２２に基づく前処理を実行して、前処理済み第１データＤｂ１２１及び前処理済み第２データＤｂ１２２を生成する。また、再構成回路２５は、再構成要求Ｒｒ２４、前処理済み第１データＤｂ１２１及び前処理済み第２データＤｂ１２２に基づく再構成処理を実行して、第１画像データＤｃ１２１及び第２画像データＤｃ１２２を生成する。また、後処理回路２６は、後処理要求Ｒａ１７、第１画像データＤｃ１２１及び第２画像データＤｃ１２２に基づく後処理を実行して、後処理済み画像データＤｄ１２１を生成する。
【０２３５】
また、通信機能１４１４ｃがサーバ２０に第１データＤａ１２１及び第２データＤａ１２２、又は前処理済み第１データＤｂ１２１及び前処理済み第２データＤｂ１２２を送信した後において、ユーザは、種々の要求を追加することができる。例えば、ユーザは、前処理中断要求や、前処理再開要求、複数の前処理要求の一部又は全部を削除する削除要求、追加の前処理要求、再構成中断要求、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求といった種々の要求を追加することができる。また、前処理要求、再構成要求及び後処理要求のそれぞれに対して優先度が設定されている場合、ユーザは、優先度の変更要求を追加することもできる。かかる要求があった場合、受付機能１４１４ｄは、入力インターフェース１４１１を介してユーザから要求を受け付け、通信機能１４１４ｃは、受付機能１４１４ｄが受け付けた要求を、第１データＤａ１２１及び第２データＤａ１２２、又は前処理済み第１データＤｂ１２１及び前処理済み第２データＤｂ１２２に関連付けて、サーバ２０に送信する。或いは、サーバ２０における受付機能２４２が、前処理中断要求や、前処理再開要求、複数の前処理要求の一部又は全部を削除する削除要求、追加の前処理要求、再構成中断要求、再構成再開要求、複数の再構成要求の一部又は全部を削除する削除要求、追加の再構成要求、後処理中断要求、後処理再開要求、複数の後処理要求の一部又は全部を削除する削除要求、追加の後処理要求、優先度の変更要求といった種々の要求を受け付けることとしても構わない。
【０２３６】
（第６の実施形態）
これまで第１〜第５の実施形態について説明したが、上述した実施形態以外にも、種々の異なる形態にて実施されてよいものである。
【０２３７】
上述した実施形態では、医用データ収集装置の例として、Ｘ線ＣＴ装置１０について説明した。しかしながら、実施形態はこれに限定されるものではない。例えば、医用診断システム１は、医用データ収集装置として、ＭＲＩ装置や、ＰＥＴ装置、ＳＰＥＣＴ装置、超音波診断装置等を備えていてもよい。
【０２３８】
一例を挙げると、医用診断システム１が医用データ収集装置としてＭＲＩ装置を備える場合、ＭＲＩ装置は、被検体に対してスキャンを実行することによりＭＲ信号データ（ｋ空間データ）を収集する。次に、ＭＲＩ装置は、種類が異なる複数の画像データを再構成するための複数の再構成要求を、ＭＲ信号データ、又は、ＭＲ信号データに前処理を施すことにより生成された前処理済みデータに関連付ける。なお、ＭＲ信号データに対する前処理の例としては、例えば、リグリッディング（re-gridding）や信号強度補正等が挙げられる。次に、ＭＲＩ装置は、複数の再構成要求が関連付けられたＭＲ信号データ又は前処理済みデータを、サーバ２０に送信する。
【０２３９】
そして、サーバ２０の再構成回路２５は、複数の再構成要求、及び、ＭＲＩ装置から送信された前処理済みデータに基づいて、画像データを再構成する。或いは、サーバ２０の前処理回路２７は、ＭＲＩ装置から送信されたＭＲ信号データを処理して前処理済みデータを生成し、再構成回路２５は、複数の再構成要求、及び、前処理回路２７により生成された前処理済みデータに基づいて、画像データを再構成する。
【０２４０】
例えば、再構成回路２５は、複数の再構成要求及び前処理済みデータに基づいて、圧縮センシング（Compressed  Sensing：ＣＳ）を用いた再構成処理を実行することにより、画像データを再構成する。一例を挙げると、再構成回路２５は、ｋ空間データである前処理済みデータをスパース空間に変換し、スパース空間に変換されたデータに対して近似解を求めた後にスパース逆変換を行うことによって、画像データを推定する。また、再構成回路２５は、推定した画像データに対してフーリエ変換を施すことで、ｋ空間データを生成する。そして、再構成回路２５は、スパース空間への変換及び画像データの推定を繰り返し実行することで、画像データを再構成する。この場合、再構成要求に対応する再構成パラメータセットには、例えば、処理の繰り返し回数や、実行する再構成処理の種類を示す情報などが含まれる。
【０２４１】
また、一例を挙げると、ＭＲＩ装置は、被検体に対してスキャンを実行することによりＭＲ信号データを収集する。次に、ＭＲＩ装置は、再構成された画像データを処理して後処理済み画像データを生成するための後処理要求を、ＭＲ信号データ、前処理済みデータ、又は画像データに関連付ける。次に、ＭＲＩ装置は、後処理要求が関連付けられたＭＲ信号データ、前処理済みデータ、又は画像データを、サーバ２０に送信する。
【０２４２】
そして、サーバ２０の後処理回路２６は、後処理要求、及び、ＭＲＩ装置から送信された画像データに基づいて、後処理済み画像データを生成する。或いは、サーバ２０の前処理回路２７は、ＭＲＩ装置から送信されたＭＲ信号データを処理して前処理済みデータを生成し、再構成回路２５は、前処理回路２７により生成された前処理済みデータに基づいて画像データを再構成し、後処理回路２６は、後処理要求、及び、再構成回路２５により再構成された画像データに基づいて、後処理済み画像データを生成する。或いは、サーバ２０の再構成回路２５は、ＲＩ装置から送信された前処理済みデータに基づいて画像データを再構成し、後処理回路２６は、後処理要求、及び、再構成回路２５により再構成された画像データに基づいて、後処理済み画像データを生成する。
【０２４３】
例えば、後処理回路２６は、後処理として、Ｓｙｎｔｈｅｔｉｃ  ＭＲＩによる計算画像（Ｓｙｎｔｈｅｔｉｃ  ＭＲＩ画像）を生成する処理を実行する。一例を挙げると、後処理回路２６は、再構成された画像データを用いて、ＭＲ画像の信号値の理論式を用いたシミュレーションやカーブフィッティングを行なうことにより、各種の組織定量値を導出する。そして、後処理回路２６は、導出された組織定量値に基づいて、任意のパラメータ値に応じた種類の計算画像を生成する。なお、パラメータ値の例としては、例えば、ＴＩ（Inversion  Time）や、ＴＥ（Echo  Time）、ＴＲ（Repetition  Time）等が挙げられる。この場合、後処理要求に対応する後処理パラメータセットには、例えば、計算画像の生成に使用するパラメータ値や、実行する後処理の種類を示す情報などが含まれる。
【０２４４】
また、一例を挙げると、ＭＲＩ装置は、被検体に対してスキャンを実行することによりＭＲ信号データを収集する。次に、ＭＲＩ装置は、ＭＲ信号データを処理して前処理済みデータを生成するための前処理要求を、ＭＲ信号データに関連付ける。次に、ＭＲＩ装置は、前処理要求が関連付けられたＭＲ信号データを、サーバ２０に送信する。
【０２４５】
そして、サーバ２０の前処理回路２７は、前処理要求、及び、ＭＲＩ装置から送信されたＭＲ信号データに基づいて、前処理済みデータを生成する。なお、ＭＲＩ装置は、前処理要求に加えて再構成要求をＭＲ信号データに関連付けて、サーバ２０に送信してもよい。この場合、再構成回路２５は、更に、再構成要求、及び、前処理回路２７により生成された前処理済みデータに基づいて、画像データを再構成する。また、ＭＲＩ装置は、前処理要求及び再構成要求に加えて後処理要求をＭＲ信号データに関連付けて、サーバ２０に送信してもよい。この場合、後処理回路２６は、更に、後処理要求、及び、再構成回路２５により再構成された画像データに基づいて、後処理済み画像データを生成する。
【０２４６】
また、上述した実施形態では、複数種類の要求に対して一連の優先度を設定する場合について説明した。例えば、前処理要求Ｒｂ３１、前処理要求Ｒｂ３２、再構成要求Ｒｒ３１、再構成要求Ｒｒ３２、後処理要求Ｒａ３１及び後処理要求Ｒａ３２の６つの要求がある場合には、これら６つの要求に対して、優先度１から優先度６までの６つの優先度を設定するものとして説明した。しかしながら、実施形態はこれに限定されるものではない。
【０２４７】
例えば、優先度は、要求の種類ごとに設定されてもよい。例えば、前処理要求Ｒｂ３１、前処理要求Ｒｂ３２、再構成要求Ｒｒ３１、再構成要求Ｒｒ３２、後処理要求Ｒａ３１及び後処理要求Ｒａ３２の６つの要求がある場合においては、前処理要求ごとの優先度、再構成要求ごとの優先度、及び、後処理要求ごとの優先度が設定されてもよい。以下では、一例として、前処理要求Ｒｂ３１について「優先度１」が設定され、前処理要求Ｒｂ３２について「優先度２」が設定されたものとして説明する。また、以下では、一例として、再構成要求Ｒｒ３１について「優先度１」が設定され、再構成要求Ｒｒ３２について「優先度２」が設定されたものとして説明する。また、以下では、一例として、後処理要求Ｒａ３１について「優先度１」が設定され、後処理要求Ｒａ３２について「優先度２」が設定されたものとして説明する。
【０２４８】
これら６つの要求は、例えば、設定された優先度と、処理順序に関する所定のルールとに応じた順序で処理される。例えば、所定のルールとして、前処理要求、再構成要求及び後処理要求の順で処理することが定められている場合には、「優先度１」が設定されている前処理要求Ｒｂ３１、「優先度２」が設定されている前処理要求Ｒｂ３２、「優先度１」が設定されている再構成要求Ｒｒ３１、「優先度２」が設定されている再構成要求Ｒｒ３２、「優先度１」が設定されている後処理要求Ｒａ３１、「優先度２」が設定されている後処理要求Ｒａ３２の順に処理が実行される。また、例えば、所定のルールとして、前処理要求、再構成要求及び後処理要求のフローごとに処理することが定められている場合には、「優先度１」が設定されている前処理要求Ｒｂ３１、「優先度１」が設定されている再構成要求Ｒｒ３１、「優先度１」が設定されている後処理要求Ｒａ３１、「優先度２」が設定されている前処理要求Ｒｂ３２、「優先度２」が設定されている再構成要求Ｒｒ３２、「優先度２」が設定されている後処理要求Ｒａ３２の順に処理が実行される。
【０２４９】
上述した実施形態に係る各装置の各構成要素は機能概念的なものであり、必ずしも物理的に図示の如く構成されていることを要しない。即ち、各装置の分散・統合の具体的形態は図示のものに限られず、その全部又は一部を、各種の負荷や使用状況等に応じて、任意の単位で機能的又は物理的に分散・統合して構成することができる。更に、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現されうる。
【０２５０】
また、上述した実施形態で説明したデータ管理方法は、予め用意されたプログラムをパーソナルコンピュータやワークステーション等のコンピュータで実行することによって実現することができる。このプログラムは、インターネット等のネットワークを介して配布することができる。また、このプログラムは、ハードディスク、フレキシブルディスク（ＦＤ）、ＣＤ−ＲＯＭ、ＭＯ、ＤＶＤ等のコンピュータで読み取り可能な非一過性の記録媒体に記録され、コンピュータによって記録媒体から読み出されることによって実行することもできる。
【０２５１】
以上説明した少なくとも１つの実施形態によれば、処理対象となるデータ及び処理の要求を効率的に管理することができる。
【０２５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれると同様に、特許請求の範囲に記載された発明とその均等の範囲に含まれるものである。
【符号の説明】
【０２５３】
１  医用診断システム
１０  Ｘ線ＣＴ装置
１４０  コンソール装置
１４１  ホストコンピュータ
１４１１  入力インターフェース
１４１２  ディスプレイ
１４１３  第３記憶回路
１４１４  処理回路
１４１４ａ  スキャン機能
１４１４ｂ  関連付け機能
１４１４ｃ  通信機能
１４１４ｄ  受付機能
１４１４ｅ  制御機能
１４１４ｆ  設定機能
１４２  前処理回路
１４３  再構成回路
１４４  後処理回路
１４５  第１記憶回路
１４６  第２記憶回路
２０  サーバ
２１  入力インターフェース
２２  ディスプレイ
２３  第４記憶回路
２４  処理回路
２４１  通信機能
２４２  受付機能
２４３  制御機能
２５  再構成回路
２６  後処理回路
２７  前処理回路
【図１】
2020141721.tif 000003
【図２Ａ】
2020141721.tif 000004
【図２Ｂ】
2020141721.tif 000005
【図３】
2020141721.tif 000006
【図４】
2020141721.tif 000007
【図５】
2020141721.tif 000008
【図６Ａ】
2020141721.tif 000009
【図６Ｂ】
2020141721.tif 000010
【図７】
2020141721.tif 000011
【図８Ａ】
2020141721.tif 000012
【図８Ｂ】
2020141721.tif 000013
【図９】
2020141721.tif 000014
【図１０】
2020141721.tif 000015
【図１１Ａ】
2020141721.tif 000016
【図１１Ｂ】
2020141721.tif 000017
【図１２】
2020141721.tif 000018
【図１３Ａ】
2020141721.tif 000019
【図１３Ｂ】
2020141721.tif 000020
【図１４Ａ】
2020141721.tif 000021
【図１４Ｂ】
2020141721.tif 000022
【図１４Ｃ】
2020141721.tif 000023
【図１５】
2020141721.tif 000024
【図１６Ａ】
2020141721.tif 000025
【図１６Ｂ】
2020141721.tif 000026
【図１７】
2020141721.tif 000027